(57)【要約】      （修正有）【課題】警報器との連携により緊急警報装置を設置していない部屋やＦＭ放送受信環境の良くない場所でも地震発生を知ることを可能とする。【解決手段】緊急警報装置２５は放送による緊急地震速報信号または津波警報信号を含む緊急地震情報信号を検出して報知と共に地震報知または津波報知を示す装置イベント信号を住警器１０−１〜１０−６に向けて送信する。住警器１０−１〜１０−６は、警戒エリアの火災を検知して報知すると共にセンサ障害やローバッテリー障害を検知し、緊急警報装置２５に対して火災または障害を示すイベント信号に自己の識別情報を含めて送信し、更に緊急警報装置２５から地震報知または津波報知を示す装置イベント信号を受信した場合に緊急地震速報または津波警報を示す情報を報知する。緊急警報装置２５では送信元の識別情報に基づき障害を検知している住警器が判るようにして障害警報が出力される。【選択図】図１
2011243219.tif 000002
【特許請求の範囲】
【請求項１】
警報器と緊急警報装置とを連携させ、前記警報器で警戒エリアの異常を検知した場合に異常を報知すると共に前記緊急警報装置に異常を示すイベント信号を送って異常を報知させ、前記緊急警報装置で放送による緊急地震情報信号を検出した場合に前記緊急地震情報信号を再生出力すると共に前記警報器に緊急地震情報報知を示す装置イベント信号を送って緊急地震情報を報知させる警報システムに於いて、
前記警報器は、障害を検知した場合に障害警報を出力させると共に前記緊急警報装置に対して自己の警報器識別情報を含む障害を示すイベント信号を送信し、
前記緊急警報装置は、前記警報器から障害を示すイベント信号を受信した場合に、前記イベント信号に含まれる前記警報器識別情報に基づき障害を検知した警報器を特定して障害警報を出力することを特徴とする警報システム。
を特定して異常を報知することを特徴とする警報システム。
【請求項２】
請求項１記載の警報システムに於いて、
前記緊急地震情報信号は、緊急地震速報信号と津波警報信号の少なくともいずれか一方であり、
前記緊急地震情報報知を示す装置イベント信号は、緊急地震速報報知と津波報知の少なくともいずれか一方を示す装置イベント信号であることを特徴とする警報システム。
【請求項３】
請求項１記載の警報システムに於いて、
前記緊急警報装置は、
ＡＭ放送、ＦＭ放送又はテレビ放送のいずれかの放送信号を受信する放送受信部と、
緊急地震情報、異常警報及び障害警報を報知する報知部と、
前記警報器から送信されたイベント信号を受信する受信部と、
装置イベント信号を前記警報器に送信する送信部と、
前記放送受信部による緊急地震情報信号の受信、イベント信号の受信をはじめとする自己のイベントを検出する装置イベント検出部と、
前記装置イベント検出部で緊急地震情報信号受信を検出した場合に前記警報器に緊急地震情報報知を示す装置イベント信号を送信して報知させ、前記装置イベント検出部で前記警報器からの異常を示すイベント信号の有効受信を検出した場合に、前記イベント信号に含まれる前記警報器識別情報に基づき異常を検知した警報器を特定して異常警報を出力させる異常報知制御部と、
前記装置イベント検出部で前記警報器からの障害を示すイベント信号の有効受信を検出した場合に、前記イベント信号に含まれる前記警報器識別情報に基づき障害を検知した警報器を特定して障害警報を出力させる障害報知制御部と、
を設けたことを特徴とする警報システム。
【請求項４】
請求項１記載の警報システムに於いて、
前記緊急警報装置の報知部は音声出力部を備え、
前記緊急警報装置の障害報知制御部は、前記装置イベント検出部で障害を示す前記警報器からのイベント信号の有効受信を検出した場合に、前記イベント信号に含まれる前記警報器識別情報に基づき前記音声出力部から障害を検知した警報器を示す音声メッセージによる警報音を出力させることを特徴とする警報システム。
【請求項５】
請求項１記載の警報システムに於いて、
前記緊急警報装置の報知部は警報器表示部を備え、
前記緊急警報装置の障害報知制御部は、前記装置イベント検出部で障害を示す前記警報器からのイベント信号の有効受信を検出した場合に、前記イベント信号に含まれる前記警報器識別情報に基づき前記警報器表示部に障害を検知した警報器を示す情報を表示させることを特徴とする警報システム。
【請求項６】
請求項１記載の警報システムに於いて、
前記警報器は、電池電源で動作し、
警戒エリアの物理的現象を検出して検出信号を出力するセンサ部と、
電池電源の電圧低下および前記センサ部の故障をはじめとする障害を検知する障害検知部と、
緊急地震情報、異常警報又は障害警報を出力する報知部と、
外部から所定の処理を指示する操作部と、
前記センサ部の検出信号出力から検知した異常の有無、前記障害検知部による障害検知、及び前記操作部による停止操作をはじめとする自己のイベントを検出するイベント検出部と、
前記イベント検出部で検出したイベントを示すイベント信号に自己の警報器識別情報を含めて送信する送信部と、
他の警報器からのイベント信号および前記緊急警報装置からの装置イベント信号を受信する受信部と、
前記イベント検出部で異常を検知した場合に、前記報知部から連動元を示す異常警報を出力させると共に、異常を示すイベント信号を他の警報器に送信させ、一方、他の警報器から異常を示すイベント信号の有効受信を検出した場合に、前記報知部から連動先を示す異常警報を出力させる異常報知処理部と、
前記イベント検出部で前記緊急警報装置から緊急地震情報報知を示す装置イベント信号の有効受信を検出した場合に、緊急地震情報を前記報知部に出力させる地震報知処理部と、
前記イベント検出部で障害検知を検出した場合に、前記報知部から障害警報を出力させると共に障害を示すイベント信号を他の警報器及び前記緊急警報装置に送信させる障害報知処理部と、
を設けたことを特徴とする警報システム。
【請求項７】
請求項６記載の警報システムに於いて、前記障害検知部は、
前記電池電源から供給される電圧の低下からローバッテリー障害を検出するローバッテリー障害監視部と、
前記センサ部に対する所定の自己点検を実行してセンサ障害を検出するセンサ障害監視部と、
を備え、
前記障害報知処理部は、
前記イベント検出部で前記ローバッテリー障害監視部による前記ローバッテリー障害の検出を検出した場合に、前記報知部からローバッテリー障害警報を出力させると共にローバッテリー障害を示すイベント信号を他の警報器及び前記緊急警報装置に送信させ、
前記イベント検出部で前記センサ障害監視部による障害検出を検出した場合に、前記報知部から障害警報を出力させると共に障害を示すイベント信号を他の警報器及び前記緊急警報装置に送信させることを特徴とする警報システム。
【請求項８】
警報器と緊急警報装置とを連携させ、前記警報器で警戒エリアの異常を検知した場合に異常を報知すると共に前記緊急警報装置に異常を示すイベント信号を送って異常を報知させ、前記緊急警報装置で放送による緊急地震情報信号を検出した場合に前記緊急地震情報信号を再生出力すると共に前記警報器に緊急地震情報報知を示す装置イベント信号を送って緊急地震情報を報知させる警報連携方法に於いて、
前記警報器は、障害を検知した場合に障害警報を出力させると共に前記緊急警報装置に対して自己の警報器識別情報を含む障害を示すイベント信号を送信し、
前記緊急警報装置は、前記警報器から障害を示すイベント信号を受信した場合に、前記イベント信号に含まれる前記警報器識別情報に基づき障害を検知した警報器を特定して障害警報を出力することを特徴とする警報システム。
を特定して異常を報知することを特徴とする警報連携方法。
【請求項９】
請求項８記載の警報連携方法に於いて、
前記緊急地震情報信号は、緊急地震速報信号と津波警報信号の少なくともいずれか一方であり、
前記緊急地震情報報知を示す装置イベント信号は、緊急地震速報報知と津波報知の少なくともいずれか一方を示す装置イベント信号であることを特徴とする警報連携方法。
【請求項１０】
異常を検知して異常を報知する警報器と連携し、放送による緊急地震情報信号を検出して報知する緊急警報装置に於いて、
ＡＭ放送、ＦＭ放送又はテレビ放送のいずれかの放送信号を受信する放送受信部と、
緊急地震情報、異常警報及び障害警報を出力する報知部と、
警報器から送信されたイベント信号を受信する受信部と、
装置イベント信号を前記警報器に送信する送信部と、
前記放送受信部による緊急地震情報信号の受信、イベント信号の受信をはじめとする自己のイベントを検出する装置イベント検出部と、
前記装置イベント検出部で緊急地震情報信号受信を検出した場合に前記警報器に緊急地震情報報知を示す装置イベント信号を送信して報知させ、前記装置イベント検出部で前記警報器からの異常を示すイベント信号の有効受信を検出した場合に、前記イベント信号に含まれる前記警報器識別情報に基づき異常を検知した警報器を特定して異常警報を出力させる異常報知制御部と、
前記装置イベント検出部で前記警報器からの障害を示すイベント信号の有効受信を検出した場合に、前記イベント信号に含まれる前記警報器識別情報に基づき障害を検知した警報器を特定して障害警報を出力させる障害報知制御部と、
を設けたことを特徴とする緊急警報装置。
【請求項１１】
請求項１０記載の緊急警報装置に於いて、
前記緊急地震情報信号は、緊急地震速報信号と津波警報信号の少なくともいずれか一方であり、
前記緊急地震情報報知を示す装置イベント信号は、緊急地震速報報知と津波報知の少なくともいずれか一方を示す装置イベント信号であることを特徴とする緊急警報装置。
【請求項１２】
請求項１０記載の緊急警報装置に於いて、
前記報知部は音声出力部を備え、
前記障害報知制御部は、前記装置イベント検出部で障害を示す前記警報器からのイベント信号の有効受信を検出した場合に、前記イベント信号に含まれる前記警報器識別情報に基づき前記音声出力部から障害を検知した警報器を示す音声メッセージによる警報音を出力させることを特徴とする緊急警報装置。
【請求項１３】
請求項１０記載の緊急警報装置に於いて、
前記報知部は警報器表示部を備え、
前記障害報知制御部は、前記装置イベント検出部で障害を示す前記警報器からのイベント信号の有効受信を検出した場合に、前記イベント信号に含まれる前記警報器識別情報に基づき前記警報器表示部に障害を検知した警報器を示す情報を表示させることを特徴とする緊急警報装置。
【請求項１４】
電池電源で動作し、放送による緊急地震情報信号を検出して報知する緊急警報装置と連携し、警戒エリアの異常を検知して異常を報知する警報器に於いて、
警戒エリアの物理的現象を検出して検出信号を出力するセンサ部と、
電池電源の電圧低下および前記センサ部の故障をはじめとする障害を検知する障害検知部と、
緊急地震情報、異常警報又は障害警報を出力する報知部と、
外部から所定の処理を指示する操作部と、
前記センサ部の検出信号出力から検知した異常の有無、前記障害検知部による障害検知、及び前記操作部による停止操作をはじめとする自己のイベントを検出するイベント検出部と、
前記イベント検出部で検出したイベントを示すイベント信号に自己の警報器識別情報を含めて送信する送信部と、
他の警報器からのイベント信号および前記緊急警報装置からの装置イベント信号を受信する受信部と、
前記イベント検出部で異常を検知した場合に、前記報知部から連動元を示す異常警報を出力させると共に、異常を示すイベント信号を他の警報器に送信させ、一方、他の警報器から異常を示すイベント信号を有効受信した場合に、前記報知部から連動先を示す異常警報を出力させる異常報知処理部と、
前記イベント検出部で前記緊急警報装置から緊急地震情報報知を示す装置イベント信号受信を検出した場合に、緊急地震情報信を前記報知部に報知させる地震報知処理部と、
前記イベント検出部で障害検知を検出した場合に、前記報知部から障害警報を出力させると共に障害を示すイベント信号を他の警報器及び前記緊急警報装置に送信させる障害報知処理部と、
を設けたことを特徴とする警報器。
【請求項１５】
請求項１４記載の警報器に於いて、
前記緊急地震情報信号は、緊急地震速報信号と津波警報信号の少なくともいずれか一方であり、
前記緊急地震情報報知を示す装置イベント信号は、緊急地震速報報知と津波報知の少なくともいずれか一方を示す装置イベント信号であることを特徴とする警報器。
【請求項１６】
請求項１４記載の警報器に於いて、前記障害検知部は、
前記電池電源から供給される電圧の低下からローバッテリー障害を検出するローバッテリー障害監視部と、
前記センサ部に対し所定の自己点検を実行して障害を検出するセンサ障害監視部と、
を備え、
前記障害報知処理部は、
前記イベント検出部で前記ローバッテリー障害監視部による前記ローバッテリー障害の検出を検出した場合に、前記報知部からローバッテリー障害警報を出力させると共にローバッテリー障害を示すイベント信号を他の警報器及び前記緊急警報装置に送信させ、
前記イベント検出部で前記センサ障害監視部によるセンサ障害検出を検出した場合に、前記報知部からセンサ障害警報を出力させると共にセンサ障害を示すイベント信号を他の警報器及び前記緊急警報装置に送信させることを特徴とする警報器。
【発明の詳細な説明】
【技術分野】
【０００１】
本発明は、火災やガス漏れなどの異常を検知して警報する警報器に緊急地震速報や地震速報を出力させる警報システム、警報連携方法、緊急警報装置及び警報器に関する。
【背景技術】
【０００２】
従来、住宅における火災やガス漏れなどの異常を検知して警報する警報器が普及している。このうち、住宅用火災警報器を住警器と言う。
【０００３】
このような住警器にあっては、住警器内にセンサ部と警報部を一体に備え、センサ部の検出信号から火災を検知すると警報部から音声メッセージなどにより火災警報を出すようにしており、専用の受信設備等を必要とせず住警器単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報が行われると、他の住警器でも連動して警報を行う、連動型の住警器システムも提案されている。
【０００５】
このような住警器システムでは、住警器で火災を検知した場合には、火災を検知した連動元の住警器は、例えば「ウーウー火災警報器が作動しました  確認してください」との音声メッセージを出力するようにしている。住警器で警報が行われた場合、住警器に設けている警報停止スイッチを操作すると、警報を停止するようにしている。
【０００６】
また、近年、住警器の低消費電力化が推し進められた結果、電池寿命が例えば１０年以上といった長寿命が保証されており、その間、電池交換は不要である。長期間使用して電池寿命に近づき、電池電圧（残り容量）の低下が検出されると、電池切れ予告警報（以下、「ローバッテリー障害警報」と言う）を出力して電池交換を促すようにしている。
【０００７】
ローバッテリー障害警報の出力開始後（電池電圧低下検出後）は、引き続き所定時間（例えば７２時間）以上にわたって断続的なローバッテリー警報出力が可能であれば良いものとされており、即ち、所定時間以内に電池交換が行われれば問題ないものとされている。一般的には、この期間中も正常な監視動作が出来るように設計されていることから、ローバッテリー警報は火災警報のように緊急性の高い警報ではない。
【０００８】
従ってローバッテリー障害警報としては、従来、就寝時間帯である夜間から早朝にかけての音響警報出力を極力避けるために、電池電圧の低下を検出してから所定時間経過後に電池切れ警報をスピーカから出力させる火災警報器（特許文献１）や、電池電圧が所定の電圧以下に低下している場合、電池の低下を報知するために電源ランプ等を点灯又は点滅させ、この状態でスイッチ操作を行うと、電池交換を促す内容を含んだ音声メッセージをスピーカから出力させる電池式警報器（特許文献２）が知られている。
【０００９】
また、ユーザが長期間不在中に電池電圧の低下が検出された場合には、ローバッテリー障害警報を必要最小限の電力消費で可能な限り長期間継続して出力し続け、ユーザが帰宅した際に、確実に気付いてスイッチ操作で電池切れが分かるようにした警報器も提案されている（特許文献３）。
【００１０】
また従来の住警器にあっては、通常の監視状態で警報停止スイッチを操作すると、センサや検出回路、音声報知回路故障の有無、汚損等による感度異常などの自己点検が実行され、点検結果を報知するようにしている。点検結果の報知は、異常がなければ、例えば「正常です」といった内容を含む音声メッセージを出力して行い、もしセンサ故障等を検出していれば「ピッ  故障です」といった音声メッセージを出力して行う。
【００１１】
このようなローバッテリー障害警報やセンサ障害警報などについて連動型の住警器システムでは、障害を検知した住警器で連動元を示す障害警報を出力し、他の住警器で連動先を示す障害警報を出力するようにしている。
【００１２】
一方、テレビ放送、ＦＭ放送及びＡＭ放送を利用して地震情報を知らせる地震警報システムとして、地震などの大規模災害が発生した場合や、津波警報が発表された場合などに行われる緊急警報放送があり、また、地震が発生した場合に揺れが到達する前に、強い揺れが予想される地域に対し予測を発表する緊急地震速報がある。
【００１３】
緊急警報放送は、東海地震の警戒宣言が発令された場合、津波警報が発表された場合、或いは自治体の知事や長から避難指示が発動された場合などに、テレビ放送、ＦＭ放送及びＡＭ放送により緊急警報信号を送信して受信機の電源を自動的にオンし、緊急警報放送を再生出力させる。
【００１４】
また緊急地震速報は、推定最大震度５弱以上で発表となり、テレビ放送、ＦＭ放送及びＡＭ放送により緊急地震速報信号を送信し、強い揺れが予想される地域に対し、地震動により重大な災害が起こるおそれのある旨を警告する。
【００１５】
このような緊急警報放送や緊急地震速報に対応して専用の受信機として機能する緊急警報装置が実用化され、普及している。
【００１６】
例えば緊急地震速報に対応した緊急警報装置にあっては、例えば特定のＦＭラジオ放送を選局して受信待機状態にあり、緊急地震速報が所定のチャイム音を２回流した後に例えば「緊急地震放送です。強い揺れに警戒してください」という自動音声を２回流すことから、例えば最初のチャイム音を解析して緊急地震速報信号を検出して放送再生動作を起動し、チャイム音に続く自動音声をスピーカから設定音量で出力して地震発生を知らせるようにしている。
【００１７】
また緊急警報放送に対応した緊急警報装置にあっては、アナログ放送の緊急警報放送の場合は、開始信号として最初に送られてくる可聴音域の電子音（ピロピロ音）であるＦＳＫ信号を検知した場合に放送再生動作を起動し、津波警報などの緊急警報放送を受信再生するようにしている。
【００１８】
更に、緊急地震速報と緊急警報放送の両方に対応した緊急警報装置も実用化されている。
【先行技術文献】
【特許文献】
【００１９】
【特許文献１】特開２００７−０９４７１９号公報
【特許文献２】実用新案登録第３１５４５７９号公報
【特許文献３】特開２００９−２４４９３７号公報
【発明の概要】
【発明が解決しようとする課題】
【００２０】
しかしながら、このような従来の緊急警報装置にあっては、緊急警報装置からの音が聞こえる範囲でしか緊急地震速報や津波警報の放送を聴くことができず、緊急警報装置を部屋毎に設置する必要があるが、高コストとなり、また各所に設置スペースを確保しなければならないといった問題がある。
【００２１】
また、基本的には放送受信機であることから、ＦＭ放送やＡＭ放送を受信する場合には、部屋によっては電波事情が悪く電波が充分な強度で受信できない場合があり、このような場所に設置しても有効に機能しない恐れもある。
【００２２】
一方、複数の住警器を連動させる連動型の住警器システムにあっては、専用の受信設備等を必要とせず住警器単体で火災監視と警報ができることから、設置が簡単でコスト的にも安価にできるというメリットがあるが、ある住警器が火災を検知して連動元警報を出力し、他の住警器が連動先警報を出力した場合、何れの住警器が火災を検知しているかが判り難く、住警器全体の状況が把握しにくいという問題がある。
【００２３】
この問題はローバッテリー障害警報やセンサ障害警報などについても同様であり、ある住警器が障害を検知して連動元を示す障害警報を出力し、他の住警器が連動先示す障害警報を出力した場合、何れの住警器が障害を検知しているかが判り難く、住警器全体の障害状況が把握しにくいという問題がある。
【００２４】
本発明は、警報器との連携によりにより緊急警報装置を設置していない部屋や放送電波の受信環境の良くない場所であっても地震発生を知ることを可能すると共に緊急警報装置に警報器に対する受信機としての機能を持たせて障害を起した警報器の状況を容易に把握可能とする警報システム、警報連携方法、緊急警報装置及び警報器を提供することを目的とする。
【課題を解決するための手段】
【００２５】
（警報システム）
本発明は、警報器と緊急警報装置とを連携させ、警報器で警戒エリアの異常を検知した場合に異常を報知すると共に緊急警報装置に異常を示すイベント信号を送って異常を報知させ、緊急警報装置で放送による緊急地震情報信号を検出した場合に緊急地震情報信号緊を再生出力すると共に警報器に緊急地震情報報知を示す装置イベント信号を送って緊急地震情報を報知させる警報システムに於いて、
警報器は、障害を検知した場合に障害警報を出力させると共に前記緊急警報装置に対して自己の警報器識別情報を含む障害を示すイベント信号を送信し、
緊急警報装置は、警報器から障害を示すイベント信号を受信した場合に、イベント信号に含まれる警報器識別情報に基づき障害を検知した警報器を特定して障害警報を出力することを特徴とする。
【００２６】
ここで、緊急地震情報信号は、緊急地震速報信号と津波警報信号の少なくともいずれか一方であり、緊急地震情報報知を示す装置イベント信号は、緊急地震速報報知（地震報知）と津波報知の少なくともいずれか一方を示す装置イベント信号である。
【００２７】
警報システムに設けた緊急警報装置は、
ＡＭ放送、ＦＭ放送又はテレビ放送のいずれかの放送信号を受信する放送受信部と、
緊急地震情報、異常警報及び障害警報を報知する報知部と、
警報器から送信されたイベント信号を受信する受信制御部と、
装置イベント信号を警報器に送信する送信制御部と、
放送受信部による緊急地震情報信号の受信、イベント信号の受信をはじめとする自己のイベントを検出する装置イベント検出部と、
装置イベント検出部で緊急地震情報信号受信を検出した場合に警報器に緊急地震情報報知を示す装置イベント信号を送信して報知させ、装置イベント検出部で警報器からの異常を示すイベント信号受信を検出した場合に、イベント信号に含まれる警報器識別情報に基づき異常を検知した警報器を特定して異常警報を出力させる異常報知制御部と、
装置イベント検出部で前記警報器からの障害を示すイベント信号受信を検出した場合に、イベント信号に含まれる警報器識別情報に基づき障害を検知した警報器を特定して障害警報を出力させる障害報知制御部と、
を設ける。
【００２８】
緊急警報装置の報知部は音声出力部を備え、緊急警報装置の障害報知制御部は、装置イベント検出部で障害を示す警報器からのイベント信号受信を検出した場合に、イベント信号に含まれる警報器識別情報に基づき音声出力部から障害を検知した警報器を示す音声メッセージによる警報音を出力させる。
【００２９】
緊急警報装置の報知部は警報器表示部を備え、緊急警報装置の障害報知制御部は、装置イベント検出部で障害を示す警報器からのイベント信号受信を検出した場合に、イベント信号に含まれる警報器識別情報に基づき警報器表示部に障害を検知した警報器を示す情報を表示させるム。
【００３０】
警報システムに設けた警報器は、電池電源で動作し、
警戒エリアの物理的現象を検出して検出信号を出力するセンサ部と、
電池電源の電圧低下およびセンサ部の故障をはじめとする障害を検知する障害検知部と、
緊急地震情報、異常警報及び障害警報を出力する報知部と、
外部から所定の処理を指示する操作部と、
センサ部の検出信号出力から検知した異常の有無、障害検知部による障害検知、及び操作部による停止操作をはじめとする自己のイベントを検出するイベント検出部と、
イベント検出部で検出したイベントを示すイベント信号に自己の警報器識別情報を含めて送信する送信処理部と、
他の警報器からのイベント信号および緊急警報装置からの装置イベント信号を受信する受信処理部と、
イベント検出部で異常を検知した場合に、報知部から連動元を示す異常警報を出力させると共に、異常を示すイベント信号を他の警報器に送信させ、一方、他の警報器から異常を示すイベント信号を受信した場合に、報知部から連動先を示す異常警報を出力させる異常報知処理部と、
イベント検出部で緊急警報装置から緊急地震情報報知を示す装置イベント信号受信を検出した場合に、緊急地震情報を報知部に出力させる地震報知処理部と、
イベント検出部で障害検知を検出した場合に、報知部から障害警報を出力させると共に障害を示すイベント信号を他の警報器及び緊急警報装置に送信させる障害報知処理部と、
を設ける。
【００３１】
警報器の障害検知部は、
電池電源から供給される電圧の低下からローバッテリー障害を検出するローバッテリー障害監視部と、
センサ部に対し所定の自己点検を実行してセンサ障害を検出するセンサ障害監視部と、
を備え、
警報器の障害報知処理部は、
イベント検出部でローバッテリー障害監視部によるローバッテリー障害検出を検出した場合に、報知部からローバッテリー障害警報を出力させると共にローバッテリー障害を示すイベント信号を他の警報器及び緊急警報装置に送信させ、
イベント検出部でセンサ障害監視部によるセンサ障害検出を検出した場合に、報知部からセンサ障害警報を出力させると共にセンサ障害を示すイベント信号を他の警報器及び緊急警報装置に送信させる。
【００３２】
（緊急警報装置）
本発明は、異常を検知して異常を報知する警報器と連携し、放送による緊急地震情報信号を検出して報知する緊急警報装置に於いて、
ＡＭ放送、ＦＭ放送又はテレビ放送のいずれかの放送信号を受信する放送受信部と、
緊急地震情報、異常警報及び障害警報を出力する報知部と、
警報器から送信されたイベント信号を受信する受信制御部と、
装置イベント信号を警報器に送信する送信制御部と、
放送受信部による緊急地震情報信号号の受信、イベント信号の受信をはじめとする自己のイベントを検出する装置イベント検出部と、
装置イベント検出部で緊急地震情報信号受信を検出した場合に警報器に緊急地震情報報知を示す装置イベント信号を送信して報知させ、装置イベント検出部で警報器からの異常を示すイベント信号受信を検出した場合に、イベント信号に含まれる警報器識別情報に基づき異常を検知した警報器を特定して異常警報を出力させる異常報知制御部と、
装置イベント検出部で警報器からの障害を示すイベント信号受信を検出した場合に、イベント信号に含まれる警報器識別情報に基づき障害を検知した警報器を特定して障害警報を出力させる障害報知制御部と、
を設けたことを特徴とする。
【００３３】
ここで、報知部は音声出力部を備え、障害報知制御部は、装置イベント検出部で障害を示す警報器からのイベント信号受信を検出した場合に、イベント信号に含まれる警報器識別情報に基づき音声出力部から障害を検知した警報器を示す音声メッセージによる警報音を出力させる。
【００３４】
報知部は警報器表示部を備え、障害報知制御部は、装置イベント検出部で障害を示す警報器からのイベント信号受信を検出した場合に、イベント信号に含まれる警報器識別情報に基づき警報器表示部に障害を検知した警報器を示す情報を表示させる。
【００３５】
（警報器）
本発明は、電池電源で動作し、放送による緊急地震情報信号を検出して報知する緊急警報装置と連携し、警戒エリアの異常を検知して異常を報知する警報器に於いて、
警戒エリアの物理的現象を検出して検出信号を出力するセンサ部と、
電池電源の電圧低下およびセンサ部の故障をはじめとする障害を検知する障害検知部と、
緊急地震情報，異常警報及び障害警報を出力する報知部と、
外部から所定の処理を指示する操作部と、
センサ部の検出信号出力から検知した異常の有無、障害検知部による障害検知、及び操作部による停止操作をはじめとする自己のイベントを検出するイベント検出部と、
イベント検出部で検出したイベントを示すイベント信号に自己の警報器識別情報を含めて送信する送信処理部と、
他の警報器からのイベント信号および緊急警報装置からの装置イベント信号を受信する受信処理部と、
イベント検出部で異常を検知した場合に、報知部から連動元を示す異常警報を出力させると共に、異常を示すイベント信号を他の警報器に送信させ、一方、他の警報器から異常を示すイベント信号を受信した場合に、報知部から連動先を示す異常警報を出力させる異常報知処理部と、
イベント検出部で緊急警報装置から緊急地震情報報知を示す装置イベント信号受信を検出した場合に、緊急地震情報報知を示す情報を報知部に報知させる地震報知処理部と、
イベント検出部で障害検知を検出した場合に、報知部から障害警報を出力させると共に障害を示すイベント信号を他の警報器及び前記緊急警報装置に送信させる障害報知処理部と、
を設けたことを特徴とする。
【００３６】
ここで、障害検知部は、
電池電源から供給される電圧の低下からローバッテリー障害を検出する電池電圧低下監視部と、
センサ部をはじめとする所定の自己点検を実行し、点検結果として正常又は障害を検出する点検処理部と、
を備え、
障害報知処理部は、
イベント検出部で前記電池電圧低下監視部によるローバッテリー障害の検出を検出した場合に、報知部からローバッテリー障害警報を出力させると共にローバッテリー障害を示すイベント信号を他の警報器及び緊急警報装置に送信させ、
イベント検出部で点検処理部による障害検出を検出した場合に、報知部から障害警報を出力させると共に障害を示すイベント信号を他の警報器及び緊急警報装置に送信させる。
【発明の効果】
【００３７】
本発明によれば、警報器でローバッテリー障害やセンサ障害などの障害を検知して警報した場合、緊急警報装置にも障害を示すイベント信号が警報器識別情報と共に送られ、緊急警報装置は、警報器から受信したイベント信号に含まれる警報器識別情報に基づき障害を検知した警報器を特定した障害警報、例えば警報器番号や警報器設置場所を示した障害を示す音声メッセージの出力や表示が行われ、連動する複数の警報器から見て緊急警報装置は障害監視の受信機として機能し、警報器による障害検知状態を一括して管理することが可能となり、障害を検知して警報した警報器を知って適切な対応をとることができる。
【００３８】
また本発明によれば、警報器で火災などの異常を検知して警報した場合についても、緊急警報装置にも異常を示すイベント信号が警報器識別情報と共に送られ、緊急警報装置は、警報器から受信したイベント信号に含まれる警報器識別情報に基づき異常を検知した警報器を特定した異常警報、例えば警報器番号や警報器設置場所を示した音声メッセージの出力や表示が行われ、連動する複数の警報器から見て緊急警報装置は異常監視の受信機として機能し、警報器による異常検知状態を一括して管理することが可能となり、異常を検知して作動した警報器を知って適切な対応をとることができる。
【００３９】
また、本発明によれば、例えば火災などの異常を検知して異常警報を出力する１または複数の警報器で構成された住宅用の警報システムに、放送による緊急地震速報または津波警報を含む緊急地震情報放送を受信して再生する緊急警報装置を連携させることで、緊急警報装置で放送による緊急地震速報または津波警報を受信した場合に、地震報知または津波報知を示すイベント信号を警報システム内の警報器に送信し、それを受信した各警報器から地震発生や津波到来を知らせ、例えば住宅の一箇所に緊急警報装置を設置しているだけで、警報器を設置している他の部屋で地震発生や津波到来を知らせることができ、緊急警報装置が最小限の台数で済むことから低コストで済み、また警報器が設置されていれば、他の部屋に居ても確実に地震発生や津波到来を知って即座に対応することができる。
【００４０】
また緊急警報装置は警報器に連携していることから、緊急警報装置の報知可能エリアが拡大されるので、報知対象エリアが緊急警報装置に設けた報知部からの報知可能エリア外であっても警報器の報知可能エリア内にあれば良く、従って緊急警報装置は自身の報知可能エリアにとらわれず放送が良好に受信できる電波事情の良い場所を選んで設置することができ、放送による緊急地震速報や津波警報を確実に受信して緊急警報装置自身及び連携している警報器から地震発生や津波到来を知らせることができ、また警報器を設置していない場所に緊急警報装置を設置した場合にも、その場所で火災警報などの異常を報知することができる。
【図面の簡単な説明】
【００４１】
【図１】緊急警報装置及び住警器で構成される本発明による監視システムを設置した住宅を示した説明図
【図２】本発明による無線式の住警器の外観を示した説明図
【図３】本発明による緊急警報装置の外観を示した説明図
【図４】図１の警報システムに設けた住警器の実施形態を示したブロック図
【図５】本実施形態で使用するイベント信号および装置イベント信号のフォーマットを示した説明図
【図６】図１の警報システムに設けた緊急警報装置の実施形態を示したブロック図
【図７】図６の緊急警報装置のメモリに設けた送信元符号管理テーブルを示した説明図
【図８】図４の住警器による監視処理を示したフローチャート
【図９】図８に続く住警器の監視処理を示したフローチャート
【図１０】図９に続く住警器の監視処理を示したフローチャート
【図１１】図６の緊急警報装置による処理を示したフローチャート
【図１２】図１１に続く緊急警報装置による処理を示したフローチャート
【図１３】デジタルＴＶ放送を受信する緊急警報装置の実施形態を示したブロック図
【図１４】ＡＭ放送を受信する緊急警報装置の実施形態を示したブロック図
【発明を実施するための形態】
【００４２】
図１は住宅に対する本発明による警報システムの設置状態を示した説明図である。図１の例にあっては、住宅２４に設けられている居間、台所、子供部屋、主寝室、階段室のそれぞれの警戒エリアに火災を検知して警報する無線式の住警器（住宅用火災警報器）１０−１〜１０−６が設置され、居間のＦＭ電波環境の良い場所には緊急警報装置２５が設置されている。ここで、緊急警報装置２５は特許請求の範囲に記載した地震速報装置に対応する。
【００４３】
住警器１０−１〜１０−６は、イベント信号を無線により相互に送受信する機能を備え、住宅各所の、それぞれ対応する監視領域について監視を行い、ここでは６台で住宅全体の火災監視を行っている。いま住宅２４の台所で万一、火災が発生したとすると、住警器１０−２が火災を検知して警報を開始する。この火災を検知して警報を開始することを、住警器における「発報」という。
【００４４】
住警器１０−２が発報するとき、住警器１０−２は連動元として機能し、連動先となる他の住警器１０−１，１０−３〜１０−６に対し、火災を示すイベント信号（火災イベント信号）を無線により送信する。他の住警器１０−１，１０−３〜１０−６は、連動元の住警器１０−２からの火災発生を示すイベント信号を有効受信した場合に、警報音と警報表示により連動先としての警報動作を行う。
【００４５】
ここで有効受信とは、受信したイベント信号に含まれるグループ符号がメモリに登録しているグループ符号に一致したときに、このイベント信号を有効受信したことを検出する。また住警器１０−１〜１０−６から送信するイベント信号には、送信元の住警器を示す識別情報として例えば送信元符号が含まれている。なお、イベント信号を有効受信した住警器１００は必要に応じイベント信号の中継送信を行う。
【００４６】
住警器が検出する自己のイベントとしては、上述の火災発生だけでなく、火災復旧、警報停止操作等があり、また他の警報器や緊急警報装置２５からの各種イベント信号の有効受信も含まれる。これらについては後述する。
【００４７】
連動元となった住警器１０−２の警報動作としては、例えば「ウーウー  火災警報器が作動しました  確認してください」といった音声メッセージによる警報音を出力する。一方、連動先の住警器１０−１，１０−３〜１０−６にあっては、「ウーウー  別の火災警報器が作動しました  確認してください」といった音声メッセージによる警報音を出力する。
【００４８】
また連動元となった住警器１０−２の警報に伴う警報表示としては、例えばＬＥＤを点灯させる。一方、連動先の住警器１０−１，１０−３〜１０−６にあっては、ＬＥＤを点滅させる。これによって、連動元警報と連動先警報におけるＬＥＤによる警報表示を区別できるようにしている。
【００４９】
なお、連動元のＬＥＤを点滅とし、連動先のＬＥＤを明滅としても良いし、連動元警報と連動先警報のいずれについても、同じＬＥＤの明滅または点滅、点灯表示であっても良い。また例えば赤色ＬＥＤと黄色ＬＥＤを設け、連動元は赤色ＬＥＤを駆動し、連動先は黄色ＬＥＤを駆動するといった２色表示としても良い。もちろん、２つのＬＥＤを一体として、赤色と黄色の両方を発光可能な２色ＬＥＤが採用できる。
【００５０】
住警器１０−１〜１０−６が警報音を出している状態で、警報停止スイッチを操作すると、警報音及び警報表示の停止処理が行われる。
【００５１】
このとき例えば、連動元である住警器１０−２で警報停止操作が行われた場合には、全ての住警器１０−１〜１０−６の警報（警報音出力および／または警報表示出力）を停止し、連動先である住警器１０−１，１０−３〜１０−６の何れかで警報停止操作が行われた場合には、住警器１０−２の警報は停止せず、住警器１０−１，１０−３〜１０−６の警報を停止するようにする。なお、以下の説明において、住警器１０−１〜１０−６を区別しないで総称する場合には、住警器１０という。
【００５２】
また住警器１０は電池電源から供給される電圧の低下からローバッテリー障害を検出して連動元（障害元）を示すローバッテリー障害警報を出力すると共に、他の住警器及び緊急警報装置２５にローバッテリー障害を示すイベント信号（ローバッテリー障害イベント信号）を送信し、連動先（障害先）を示すローバッテリー障害警報を出力させる。
【００５３】
連動元を示すローバッテリー障害警報は、住警器１０のスピーカから例えば「ピッ  電池切れです」を複数回連続出力すると共にＬＥＤを例えば点灯し、その後は、一定時間毎に「ピッ  電池切れです」の音声出力とＬＥＤによる表示を複数回行う処理を繰り返す。連動先を示すローバッテリー障害警報は、住警器１０のスピーカから例えば「ピッ  別の警報器が電池切れです」を複数回連続出力すると共にＬＥＤを例えば点滅し、その後は、一定時間毎に「ピッ  別の警報器が電池切れです」といった音声出力とＬＥＤによる点滅を行わせる。
【００５４】
更に住警器１０はセンサ障害を検出して連動元（障害元）を示すセンサ障害警報を出力すると共に、他の住警器及び緊急警報装置２５にセンサ障害を示すイベント信号（センサ障害イベント信号）を送信し、連動先（障害先）を示すローバッテリー障害警報を出力させる。
【００５５】
住警器１０で検出するセンサ障害には、センサや検出回路、音声報知回路故障の有無、汚損等による感度異常などが含まれており、住警器１０はセンサ障害を検出するための自己点検をバックグラウンドで実行して点検結果をメモリに記憶している。
【００５６】
また住警器１０は通常状態で点検スイッチとして機能する警報停止スイッチを操作した場合、バックグラウンドで実行してメモリに記憶している自己点検の結果を参照し、正常又は障害を報知する。
【００５７】
住警器１０はセンサ障害を検出した場合、スピーカから連動元（障害元）を示す障害警報音として例えば「ピッ  故障です」を複数回連続出力させると共に、ＬＥＤを例えば点灯し、その後は一定時間毎に「ピッ  故障です」の音声出力とＬＥＤの点灯による表示を複数回繰り返す。
【００５８】
また住警器１０はセンサ障害を検出した場合、センサ障害を示すイベント信号（センサ障害イベント信号）を他の住警器や緊急警報装置２５に送信することで、例えば「ピッ  別の警報器が故障です」や「ピッ  警報器が故障です」といった警報音を出力させると共に連動元とは異なる表示、例えば点滅を行わせる。
【００５９】
緊急警報装置２５は、自己のイベントとして放送設備から送信される緊急地震情報信号としての緊急地震速報信号や津波警報信号を検出して再生出力すると共に、住警器１０に緊急地震情報報知示す装置イベント信号として、緊急地震速報報知（以下「地震報知」という）や津波報知を示す装置イベント信号を送信する。緊急警報装置２５が検出するイベントとしては、上述の緊急地震速報信号受信の他に操作部の操作、住警器１０からの火災、障害などを示すイベント信号の有効受信等がある。
【００６０】
緊急警報装置２５により受信再生する緊急地震情報放送には、緊急地震速報（ＥＥＷ：Ｅａｒｔｈｑｕａｋｅ  Ｅａｒｌｙ  Ｗａｒｎｉｎｇ）と緊急警報放送（ＥＷＳ：Ｅｍｅｒｇｅｎｃｙ    Ｗａｒｎｉｎｇ  Ｓｙｓｔｅｍ）がある。緊急地震速報は、一般向けの場合、推定最大震度５弱以上で気象庁から発表される警報であり、強い揺れが予想される地域に対し、地震動により重大な災害が起こるおそれのある旨を警告する放送である。緊急地震速報は例えば「（チャイム音２回）緊急地震速報です。強い揺れに警戒してください。」を２回繰り返す。緊急警報装置１００は、例えば最初のチャイム音の信号を解析して緊急地震速報信号を検知して受信待機状態から再生動作に切り替え、「緊急地震速報です。強い揺れに警戒してください。」を設定音量で出力する。
【００６１】
緊急警報放送は、地震などの対規模災害が発生した場合や、津波警報が発表された場合などに行われる警報であり、待機状態にあるテレビやラジオ受信機のスイッチを自動的にオンさせる。緊急警報放送の開始と終了には、第１種開始信号、第２種開始信号及び終了信号を使用する。第１種開始信号は、東海地震の警戒宣言が発表された場合、または自治体の知事や長から避難指示が発動された場合などに送信され、受信機を自動的にオンさせる。また。第２種開始信号は、津波警報が発表された場合にのみ送信され、同じは受信機を自動的にオンさせる。終了信号は第１種または第２種開始信号の送信から所定時間後に送信され、受信機を自動的にオフざせる。また受信機の動作を確認するために試験信号を例えば月１回所定の時刻に送信しており、この試験信号は終了信号と同一であり、終了信号のみを受信した場合は受信機が正常に動作するかの確認動作を行わせる。
【００６２】
なお、以下の説明にあっては、緊急警報放送による第２種開始信号の検出を、津波警報信号の検出という。また本実施形態にあっては、警緊急地震速報と緊急警報放送の中の第２種開始信号による津波警報信号に対応するが、第１種開始信号による緊急警報は除外しているが、必要に応じて追加しても良い。
【００６３】
本実施形態の住警器１０は、緊急警報装置２５の設置に伴い、緊急警報装置２５から地震報知を示す装置イベント信号を有効受信した場合に、地震報知を示す情報として音声メッセージを所定回数（１回を含む）又は所定時間繰り返し出力する。地震報知を示す情報を示す音声メッセージとしては例えば「ピーピー  緊急地震速報です。強い揺れに警戒してください。」とする。
【００６４】
また住警器１０は、緊急警報装置２５から津波報知を示す装置イベント信号を有効受信した場合、津波報知を示す情報を音声メッセージを所定回数（１回を含む）出力するか又は所定時間出力する。津波報知を示す情報を示す音声メッセージとしては例えば「ピーピー  津波警報が発令されました。海岸には近づかず、高台に避難してください」を出力する。
【００６５】
また緊急警報装置２５は住警器１０から火災イベント信号を受信すると、火災イベント信号に含まれる送信元符号に基づき火災を検知した住警器を判別し、何れの住警器が火災を検知したか示す音声メッセージによる警報音を出力する。緊急警報装置２５の火災警報音としては例えば「ウーウー  １番の火災警報器が作動しました  確認してください」または「ウーウー  居間の火災警報器が作動しました  確認してください」といった音声メッセージとする。
【００６６】
また緊急警報装置２５は火災警報音と共にＬＥＤの点灯、点滅、明滅などにより火災を表示すると共に火災を検知した住警器を示す住警器番号や設置場所を示す部屋名などの情報を表示灯や液晶ディスプレイにより表示する。
【００６７】
このような緊急警報装置２５による火災を検知した住警器を示す報知により、緊急警報装置２５を、連動型の住警器１０−１〜１０−６を用いた火災報知システムにおける火災受信機の役割を担う装置として利用することができ、住警器１０−１〜１０−６の火災監視状況を一括管理することが可能になる。
【００６８】
また緊急警報装置２５は住警器１０からローバッテリー障害イベント信号を有効受信すると、ローバッテリー障害イベント信号に含まれる送信元符号に基づきローバッテリー障害を判定した住警器を検出し、何れの住警器がローバッテリー障害を検出したか示す音声メッセージによる警報音を出力する。緊急警報装置２５のローバッテリー障害警報音としては例えば「ピッ  １番の火災警報器が電池切れです  」または「ピッ  居間の火災警報器が電池切れです」といった音声メッセージとする。
【００６９】
また緊急警報装置２５はローバッテリー障害警報音と共にＬＥＤの点灯、点滅、明滅などによりローバッテリー障害を表示すると共にローバッテリー障害を検出した住警器を示す住警器番号や設置場所を示す部屋名などの情報を表示灯や液晶ディスプレイにより表示する。
【００７０】
このような緊急警報装置２５によるローバッテリー障害を検知した住警器を示す報知により、緊急警報装置２５を、連動型の住警器１０−１〜１０−６を用いた火災報知システムにおける火災受信機の役割を担う装置として利用することができ、住警器１０−１〜１０−６のローバッテリー障害を一括管理することが可能になる。
【００７１】
また緊急警報装置２５は自己点検を行った住警器１０から例えばセンサ障害イベント信号を有効受信すると、センサ障害イベント信号に含まれる送信元符号に基づきセンサ障害を判定した住警器を検出し、何れの住警器がセンサ障害を検出したか示す音声メッセージによる警報音を出力する。緊急警報装置２５のセンサ障害警報音としては例えば「ピッ  １番の火災警報器が故障です  」または「ピッ  居間の火災警報器が故障です」といった音声メッセージとする。
【００７２】
また緊急警報装置２５はセンサ障害警報音と共にＬＥＤの点灯、点滅、明滅などによりセンサ障害を表示すると共にセンサ障害を検出した住警器を示す住警器番号や設置場所を示す部屋名などの情報を表示灯や液晶ディスプレイにより表示する。
【００７３】
このような緊急警報装置２５によるセンサ障害を検知した住警器を示す報知により、緊急警報装置２５を、連動型の住警器１０−１〜１０−６を用いた火災報知システムにおける火災受信機の役割を担う装置として利用することができ、住警器１０−１〜１０−６のセンサ障害などの故障を一括管理することが可能になる。
【００７４】
ここで、住警器１０にあっては、ローバッテリー障害またはセンサ障害を検出して障害警報を出力した後は、一定時間毎に、障害警報音と障害表示を複数回繰り返しているが、その場合にも、ローバッテリー障害またはセンサ障害を示すイベント信号を送信することで、緊急警報装置２５側で障害警報音と障害表示を複数回繰り返し出力するようにしても良い。
【００７５】
なお、緊急警報装置２５は商用電源で動作していことから、一度、ローバッテリー障害またはセンサ障害を示すイベント信号を受信して障害警報音と警報表示により障害警報を出力した後は、障害警報表示は継続させ、警報操作による障害警報表示を停止するようにしても良い。
【００７６】
また緊急警報装置２５を住警器１０の何れかと同じ場所に設置した場合には、両方から地震報知や津波報知が音声が出力されて聞き取り辛くなる。そこで本実施形態にあっては住警器１０に地震報知や津波報知の出力を禁止する禁止モードをモードスイッチの操作により設定可能としており、緊急警報装置２５と同じ場所（警報、報知範囲が重複する場所）に設置される住警器については禁止モードを設定しておくことで、緊急警報装置２５から地震報知または津波報知を示す装置イベント信号を受信しても、地震報知または津波報知を示す情報は出力しないようにする。
【００７７】
禁止モード設定機能は、同じ場所に複数の住警器が設置されている場合にも同じように利用することが出来る。
【００７８】
このように、禁止モード設定機能は住警器側に設けられても良いが、一般的には住警器１０のほうが緊急警報装置２５に比べて設置台数が多いことが想定されるので、システム機器の全体コスト等を考慮して、緊急警報装置２５に設けるものとしても良い。このようにすれば、設置台数の多い住警器１０に禁止モード設定機能を搭載する必要が無くなり、システム機器の全体コストを抑えることができ、禁止モード設定の有無を確認する場合も緊急警報装置のみについて行えば良いなど、運用が複雑になることを防ぐ効果がある。
【００７９】
また緊急警報装置２５と住警器１０の重複報知と住警器同士の重複報知を併せて考慮する場合には、住警器１０と緊急警報装置２５の両方に禁止モード設定機能を設けて、設置状況等に応じてそれぞれに設定できるようにしても良い。このとき当然、同じ場所に緊急警報装置２５が複数設置される場合の、緊急警報装置同士の重複報知も回避するよう設定が可能となる。
【００８０】
もちろん、警報や報知音が重複して出力されるような設置状況であっても、必ずしも禁止モード設定を利用する必要は無く、利用者の判断で適宜に選択して設定する。
【００８１】
また図１にあっては、住警器１０−２で火災を検知して警報した場合に他の住警器１０−１，１０−３〜１０−６及び緊急警報装置２５に火災発生を示すイベント信号を送信する経路をイベント通信経路１１ａとして示し、また緊急警報装置２５から地震放置または津波報知を示す装置イベント信号を送信する経路を装置イベント通信経路１１ｂとして示している。なお、住警器１０−１〜１０−６で受信されたイベント信号又は装置イベント信号は、それぞれ他の住警器に中継されるが、その通信経路は省略している。
【００８２】
図２は本発明による無線式の住警器の外観を示した説明図であり、図２（Ａ）に正面図を、図２（Ｂ）に側面図を示している。なお、取付フック１５を設けているほうを上側とする。
【００８３】
図２において、本実施形態の住警器１０の筐体はカバー１２と本体１４で構成されている。カバー１２の中央には、周囲に複数の煙流入口を開口し、その内部には検煙部１６が配置され、火災による煙が所定濃度に達したときに火災を検知するようにしている。
【００８４】
カバー１２に設けた複数の開口部の内部には検煙部１６を備え、検煙部１６の左下側には音響穴１８が設けられ、この背後にブザーやスピーカを内蔵し、警報音や音声メッセージを出力できるようにしている。検煙部１６の下側には警報停止スイッチ２０が設けられている。
【００８５】
警報停止スイッチ２０は住警器１０の機能の自己点検を指示する点検スイッチとしての機能を兼ねている。たとえば、火災警報時に警報停止スイッチ２０が操作されると警報を停止し、通常状態で警報停止スイッチ２０が操作されると機能点検を実施して結果を報知する。ここで通常状態とは、少なくとも火災警報中または障害警報中でない状態を指す。
【００８６】
警報停止スイッチ２０は、半透明部材で形成されたスイッチカバーと、スイッチカバーの内部に配置されたプッシュスイッチ（図示せず）とで構成されている。即ち、スイッチカバーを押圧操作すると、プッシュスイッチが押圧されるようになっている。スイッチカバー内部のプッシュスイッチ近傍には、点線で示すように警報等表示を行うＬＥＤ２２が配置されており、ＬＥＤ２２が点灯、点滅、明滅作動すると、作動光が警報停止スイッチ２０のスイッチカバーの部分を透過してＬＥＤ１２２の作動状態が外部から視認できるようにしている。
【００８７】
また本体１４の裏側上部には略中央部に挿通孔を有する取付フック１５が設けられており、設置する部屋の壁にビスなどをねじ込み、この取付フック１５の挿通孔にビスを通して引っかけることで、壁面に住警器１０を所謂壁掛け状に固定設置することができる。
【００８８】
なお図２の住警器１０にあっては、検煙部１６を備え、火災に伴い発生する煙に基づいて火災を検知する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常（異状）を検出する各種の警報器、これらを組み合わせて成る警報器についても、本発明の対象に含まれる。そして、本発明の警報システムは、これら各種の警報器を混在させて構成しても良い。
【００８９】
図３は本発明による緊急警報装置の実施形態外観を示した説明図であり、ＦＭ放送を受信する場合を例にとっている。図３（Ａ）の緊急警報装置２５にあっては、箱形筐体の前面の右側に監視灯１１２と警報灯１１４を設けており、例えば商用ＡＣ電源で動作する。監視灯１１２は緊急地震速報や津波警報放送を含む緊急地震情報放送の受信待機状態で緑に点灯して正常な動作状態にあることを示しており、選局したＦＭ放送の受信が不安定になると点滅し、更に、ＦＭ放送の周波数に正しく選局されていない場合は消灯する。警報ランプ１１４は緊急地震情報放送の受信再生時に例えば赤に点灯する。
【００９０】
箱形筐体の背後にはＦＭアンテナ７５と住警器用のアンテナ８５が設置されている。更に箱形筐体の上面には音響穴（図示せず）が設けられ、内蔵したスピーカからの音を出力する。
【００９１】
箱形筐体の前面左側には表示部として液晶パネル１１６が設けられ、住警器１０から火災イベント信号を有効受信した場合に、火災イベント信号に含まれる送信元符号に基づき火災を検知して警報している住警器を検出し、検出した住警器を示す番号表示や設置場所を示す地区表示（部屋名表示など）を行う。
【００９２】
また液晶パネル１１６には、住警器１０からローバッテリー障害イベント信号またはセンサ障害イベント信号を有効受信した場合に、各イベント信号に含まれる送信元符号に基づきローバッテリー障害またはセンサ障害を検知して警報している住警器を検出し、検出した住警器を示す番号表示や設置場所を示す地区表示（部屋名表示など）を行う。
【００９３】
また液晶パネル１１４の下側には警報停止スイッチ１０８が設けられる。警報停止スイッチ１０８は火災警報中、ローバッテリー障害警報中、またはセンサ障害警報中に操作すると警報音と警報表示を停止する。また警報停止スイッチ１０８を操作した場合には、警報停止を示す装置イベント信号を住警器１０に送信し、少なくとも連動先となっている住警器の警報音と警報表示を停止するようにしても良い。
【００９４】
また、箱形筐体の例えば底面には操作部（図示せず）が設けられ、選局釦、ボリューム、選局セット釦に加え、試験スイッチや警報停止スイッチを設けている。なお、液晶パネル１１６は選局操作時の周波数表示も行う。
【００９５】
図３（Ｂ）は本発明による緊急警報装置の他の実施形態外観を示した説明図である。図３（Ｂ）の緊急警報装置２５は図３（Ａ）に設けた液晶パネル１１６に代えて火災を検知した住警器を示す例えば８個のＬＥＤを配列した住警器表示灯１１８を設けたことを特徴とする。
【００９６】
住警器表示灯１１８には例えば住警器番号１〜８が表示されており、住警器の送信元符号と住警器番号の関係をテーブル登録しておくことで、住警器から受信した火災を示すイベント信号に含まれる送信元符号に対応する番号のＬＥＤを点灯または点滅して火災、ローバッテリー障害またはセンサ障害を検知している住警器を示すようにする。
【００９７】
図４は図１の警報システムに設けた住警器の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００９８】
図４において、住警器は居間に設置した住警器１０−１について示しているが、他の住警器１０−２〜１０−６についても同様の構成となる。
【００９９】
住警器１０−１はワンチップＣＰＵとして知られたプロセッサ２８を備え、プロセッサ２８に対してはアンテナ３１を備えた無線通信部３０、メモリ３２、センサ部３４、報知部３６、操作部３８及び電池電源４０を設けている。
【０１００】
無線通信部３０には送信回路４２と受信回路４４が設けられ、他の住警器１０−２〜１０−６との間でイベント信号を無線により送受信できるようにし、更に緊急警報装置２５からの装置イベント信号を受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【０１０１】
もちろん無線通信部３０としては、日本国内以外で使用する場合は、その地域の割当無線局の標準規格に準拠した内容を持つことになる。
【０１０２】
なお、アンテナ３１、送信回路４２及び送信処理部６０を併せて送信部とし、アンテナ３１、受信回路４４及び受信処理部６２を併せて送信部とする。
【０１０３】
無線通信部３０の送信回路４２におけるイベント信号の送信は、所定時間Ｔ１、例えばＴ１＝３秒に亘りイベント信号を送信する動作を、所定時間Ｔ２、例えばＴ２＝２秒の休止時間を空けて例えば４回繰り返している。このＴ１＝３秒送信、Ｔ＝２秒休止は特定小電力無線局の標準規格に準拠したものである。またＴ１＝３秒の送信動作は、その内の最初から例えば２．８秒はダミー信号の送信であり、残り０．２秒の時間にイベント信号の反復送信を行う。
【０１０４】
また、無線通信部３０の受信回路４４による受信は、住警器１０−１と同じグループに属する他の住警器１０−２〜１０−６からのイベント信号又は緊急警報装置２５から装置イベント信号を間欠受信する。間欠受信は、所定周期Ｔ３毎に、例えばＴ３＝７秒毎に受信可能時間Ｔ４、例えばＴ４＝１００ミリ秒のあいだ受信動作を繰り返しており、受信可能時間Ｔ４の間に送信ダミー信号をキャリアセンスにより検知すると所定時間のあいだ連続受信に切替えてダミー信号に続くイベント信号または装置イベント信号を受信する。
【０１０５】
なお、受信した信号はプロセッサ２８に設けた受信処理部６２で解読される。以下、この解読までを含めて受信と呼ぶことがある。また特に、解読の結果有効な信号と判定されることを区別して表す場合には有効受信と呼ぶ。
【０１０６】
また無線通信部３０は、住警器１０−１自身が火災又は火災以外の事象を検知してイベント信号を送信した場合、または緊急警報装置２５からの装置イベント信号を受信して他の住警器に送信した場合、住警器１０−１と同じグループに属し、これを受信した他の住警器１０−２〜１０−６から、当該イベント信号を正常に受信したことを示す確認応答信号（以下「ＡＣＫ信号」と云う）が有効受信されるか否か監視している。
【０１０７】
他の住警器のうち、ＡＣＫ信号が受信されないものを検知した場合、住警器１０−１はＡＣＫ信号が受信された他の住警器または緊急警報装置２５に対し中継要求有りイベント信号または装置イベント信号を送信し、中継要求有りのイベント信号または装置イベント信号を受信した住警器または緊急警報装置２５からＡＫＣ信号未応答の住警器または緊急警報装置２５へ中継要求有りのイベント信号または装置イベント信号を中継送信させる。中継要求有りのイベント信号または装置イベント信号を中継受信したＡＫＣ信号未応答の住警器は中継要求有りのイベント信号または装置イベント信号に対しＡＣＫ信号を返信し、このＡＣＫ信号が他の住警器の中継（返信の中継）を経て連動元の住警器１０−１で受信される。これによってもＡＣＫ信号が受信されない住警器または緊急警報装置２５がある場合には、通信障害等と判定し、所定の障害対応処理等を行う。
【０１０８】
メモリ３２には、イベント信号の順番を示す連続番号である連番４８、各住警器を特定する住警器識別情報となる送信元符号５０、図１のように住宅に設置した住警器１０−１〜１０−６で連動警報を行う連動グループを構成するためのグループ符号５２が格納されている。
【０１０９】
図５は本実施形態で連動警報に使用するイベント信号フォーマットを概略的に示した説明図であり、装置イベント信号も同じになる。図５において、イベント信号４６は連番４８、送信元符号５０、グループ符号５２及びイベント符号５４で構成されている。
【０１１０】
連番４８はイベント信号の順番を示す連続番号であり、各端末（住警器、緊急警報装置）それぞれにイベント信号を送信する毎に１つずつ増加させる。また、連番４８は住警器１０及び緊急警報装置２５の各々で非同期に生成している。連番４８は住警器１０や緊急警報装置２５間の、主に無線通信に於いてイベント信号の中継処理等を管理するためのものであるが、本発明に直接関係しないので詳細な説明を省略する。
【０１１１】
送信元符号５０は住警器識別情報として用いられる例えば２６ビットの符号であり、例えば住警器１０、緊急警報装置２５のシリアル番号等を利用している。グループ符号５２は例えば８ビットの符号であり、同一グループを構成する例えば図１の住警器１０−１〜１０−６及び緊急警報装置２５につき例えば同じグループ符号が設定されている。
【０１１２】
なおグループ符号５２としては、同一グループの住警器に同一のグループ符号を設定する以外に、例えば予め定めたグループを構成する住警器に共通な基準符号と各住警器に固有な送信元符号との演算から求めた住警器ごとに異なるグループ符号であってもよい。すなわち、イベント信号を受信した各端末（住警器、緊急警報装置）がそれをもとに自己と同一グループの端末からの信号であるか否かを判定できるものであれば、どのような符号であっても良い。
【０１１３】
イベント符号５４は、火災、ガス漏れ（例えばガス漏れ警報器やガス漏れ検出機能を併せ持つ住警器等の場合）などのイベント内容を表す符号であり、本実施形態にあっては４ビット符号を使用しており、例えば
０００１＝火災
００１０＝ガス漏れ
００１１＝警報停止（火災警報停止、ガス漏れ警報停止、障害警報停止）
０１００＝復旧（火災復旧、ガス漏れ復旧、障害復旧）
０１０１＝センサ障害
０１１０＝ローバッテリー障害
０１１１＝地震報知
１０００＝津波報知
としている。
【０１１４】
なお、先述した「中継要求有り」を示す符号はここでは省略しているが、ビット数を増やすことで、当然これも事象符号に追加することができる。また、中継送信するイベント信号または装置イベント信号には、送信元（連動元）の住警器を示す識別符号と中継を行う住警器の識別符号の両方を付加する。更に、送信先を指定する識別符号を付加しても良い。
【０１１５】
また、先述した「中継要求有り」を示す符号はここでは省略しているが、例えば「１１１１」に割り当てることで当然これも事象符号に追加することができる。また、その他例えば「００００」を定期的な通信確認用に割り当てても良い。もちろん、ビット数を増やすことで更に多くの事象符号を割り当てることができる。
【０１１６】
再び図１を参照するに、センサ部３４には、煙を検出して煙濃度に応じた検出信号を出力する検煙部１６を設けている。前述のように、センサ部３４には検煙部１６に代えて、火災による温度を検出して検出信号を出力する素子やセンサ、火災に伴うその他の物理現象変化を検出して検出信号を出力する各種素子やセンサを設けても良い。
【０１１７】
報知部３６には警報音等を出力する音響出力器であるスピーカ５６と警報表示等を行うＬＥＤ２２が設けられている。スピーカ５６は、図示しない音声合成回路部から、自己が保持している各種の音声メッセージや警報音等を、図示しない増幅部を介して出力する。ＬＥＤ２２は点滅や明滅、点灯などにより、火災などの異常その他を表示する。スピーカ５６に代えて、ブザー等を用いても良い。またＬＥＤ２２に代え、２色ＬＥＤや液晶表示器等を設けても良い。もちろん、ＬＥＤと液晶表示器を併設するなどしても良い。
【０１１８】
操作部３８には警報停止スイッチ２０とモードスイッチ２１が設けられている。警報停止スイッチ２０は、報知部３６からスピーカ５６により火災や障害の警報音を出力しているとき又はＬＥＤ２２により警報表示を行っているときにのみ警報停止スイッチとして機能する。例えば連動元を示す警報中に警報停止スイッチ２０を操作すると、警報音及び警報表示は停止され、連動先を示す警報中に警報停止スイッチ２０を操作すると、警報音及び警報表示は停止され、一方、連動先を示す警報中に警報停止スイッチ２０を操作すると、警報音は停止し、警報表示は停止または警報音停止から所定時間後に停止するといった警報停止処理が行われる。
【０１１９】
一方、連動元または連動先を示す火災警報または障害警報を行っていない通常状態においては、警報停止スイッチ２０は点検スイッチとして機能し、この状態で警報停止スイッチ２０を操作すると、ビルトインテストとしてバックグラウンドで実行されてメモリ３２に記憶されている所定の自己点検結果を参照し、報知部３６のスピーカ５６から点検結果を示す音声メッセージなどが出力される。
【０１２０】
なお、自己点検はビルトインテストとしてバックグラウンドで行わずに、通常状態で警報停止スイッチ２０の操作を検出した場合（点検を指示した場合）に実行するようにしても良い。また、障害警報中に警報停止スイッチ２０が操作された場合には、所定の自己点検動作を実施して結果を報知した後に障害警報停止処理を行うようにしても良い。このようにすれば、例えばセンサ故障等を再チェックした後に障害警報停止処理が行われるので、ユーザに対し、故障状態をより明確に認知させることができる。そして、このとき障害状態が解消（障害復旧）している場合には、例えば「障害は解消しました」等のメッセージを出力して、障害停止（復旧）処理に移行しても良い。
【０１２１】
操作部３８に設けたモードスイッチ２１は本体裏面などに設けたディップスイッチ等であり、地震報知や津波報知の報知禁止モードをオン、オフ設定することができる。モードスイッチ２１のオンにより禁止モードを設定（オン）すると、緊急警報装置２５から地震報知や津波報知を示す装置イベント信号を受信しても、報知部３６からの地震報知出力や津波報知出力は行われない。
【０１２２】
この機能を利用して、例えば緊急警報装置２５が設置されている部屋に住警器１０も設置されているような場合や、同じ部屋に住警器１０が複数台設置されている場合等に、必要に応じてその部屋の所定機器だけに情報出力させることができるので、複数の機器で重複しての情報出力を避けることができ、この場合例えば禁止設定された住警器の電池消耗を抑制することができる等の効果が得られる。
【０１２３】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【０１２４】
プロセッサ２８にはプログラムの実行により実現される機能として、イベント検出部５８、送信処理部６０、受信処理部６２、異常報知処理部６４、地震報知処理部６５及び障害処理部６６の機能が設けられ、障害処理部６６にはセンサ障害監視部６８とローバッテリー障害監視部７０の機能が設けられている。
【０１２５】
イベント検出部５８は、センサ部３４の煙検出信号出力から検知した火災の有無、操作部３８による警報停止指示入力の有無や点検指示入力の有無、センサ部３４の煙検出信号出力が低下して火災検知状態が解消される火災復旧、センサ障害やローバッテリー障害等のイベントを検出する。またイベント検出部５８は受信回路４４及び受信処理部６２を介して他の住警器１０−２〜１０−６からのイベント信号及び緊急警報装置２５からの装置イベント信号の解読結果として得られたイベント信号有効受信の有無およびそのイベント内容を検出する。
【０１２６】
送信処理部６０は、イベント検出部５８によるセンサ部３４の煙検出信号出力からの火災検知、操作部３８による警報停止、センサ部３４の煙検出信号出力が低下して火災検知状態が解消される火災復旧等の自己のイベントを検出した場合に、検出したイベント内容を示すイベント信号を、無線通信部３０の送信回路４２を介してアンテナ３１から連動先の住警器や緊急警報装置に送信させる。また送信処理部６０は他の住警器や緊急警報装置２５から有効に受信したイベント信号を、必要に応じて中継送信する。
【０１２７】
受信処理部６２は、他の住警器１０−２〜１０−６からのイベント信号及び緊急警報装置２５からの装置イベント信号を、アンテナ３１から無線通信部３０の受信回路４４を介して受信し解読する。
【０１２８】
なお、緊急警報装置２５から受信する装置イベント信号の種類としては、地震報知や津波報知を示す装置イベント信号、図３の緊急警報装置２５に設けた警報停止スイッチ１０８の操作によって住警器１０の火災警報等を停止させる場合の警報停止を示す装置イベント信号等がある。
【０１２９】
異常報知処理部６４は、イベント検出部５８で自己の異常として火災を検知した場合にイベント検出部５８から信号を受け、スピーカ５６から連動元を示す警報音を出力させると共に、ＬＥＤ２２を例えば点灯駆動して連動元を示す警報表示を行い、更に、火災を示すイベント信号を他の住警器１０−２〜１０−６や緊急警報装置２５に送信する。
【０１３０】
具体的に説明すると、異常報知処理部６４は、センサ部３４に設けた検煙部１６の煙検出信号に基づきイベント検出部５８で火災を検知した場合に、イベント検出部５８からその旨を示す信号を受け取り、これに基づき報知部３６に対しスピーカ５６から連動元を示す警報音例えば「ウーウー  火事です  火事です」の音声メッセージを繰り返し出力させる制御を行うと共に、ＬＥＤ２２を点灯させて連動元を示す警報表示制御を行い、更に、送信処理部６４および送信回路４２を介して火災を示すイベント信号をアンテナ３１から他の住警器１０−２〜１０−６や緊急警報装置２５に向けて送信させる。
【０１３１】
また異常報知処理部６４は、無線通信部３０の受信回路４４により他の住警器１０−２〜１０−６の何れかから火災イベント信号を有効受信したことをイベント検出部５８で検出した場合に、報知部３６のスピーカ５６から連動先を示す警報音（報知音）例えば「ウーウー  別の火災警報器が作動しました  確認してください」となる音声メッセージを繰り返し出力させると共にＬＥＤ２２を例えば点滅させて連動先を示す警報表示を行う。
【０１３２】
一方、住警器１０−１からの火災を示すイベント信号が緊急警報装置２５で有効受信された場合、緊急警報装置２５はスピーカから例えば「ウーウー  火災警報器が作動しました  確認してください」となる音声メッセージによる警報音を繰り返し出力させると共に火災を検知した住警器を特定する警報表示を行う。
【０１３３】
障害処理部６６にはローバッテリー障害監視部６８とセンサ障害監視部７０との機能が設けられ、ビルトインテストとしてバックグラウンドで定期的に自動実行されている。
【０１３４】
ローバッテリー障害監視部７０は、所定の測定時間間隔、例えばＴ３＝４時間間隔で図示しない電圧検出回路を介して直接的又は間接的に、電池電源４０から供給される電源電圧をＡ／Ｄ変換により読み込んで所定の閾値電圧と比較し、この閾値電圧以下の時にローバッテリー障害の検出を予備判定し、更にローバッテリー障害検出の仮判定が連続して所定回数続いたときにローバッテリー障害と判定（確定）し、ローバッテリー障害フラグをセットしてメモリ３２に記憶する。
【０１３５】
センサ障害監視部６８は、所定の測定時間間隔、例えばＴ１＝１秒間隔でセンサ部３４の検煙部１６から出力される煙検出信号をＡ／Ｄ変換により読み込んでメモリ３２のバッファ領域に保持し、例えば所定の時間間隔Ｔ２＝１０分毎に、メモリ３２のバッファ領域に保持している１０分間ぶんの検出データの平均値を求め、この平均値が所定の基準レベル（零点レベルという）を下回った時に出力停止状態である等としてセンサ部３４の障害と判定し、センサ障害フラグをセットしてメモリ３２に記憶する。
【０１３６】
このように煙濃度検出信号の１０分間平均値が零点レベルを下回る原因は、検煙部１６に設けている受光素子故障や受光素子からの出力信号線断線、受光アンプの停止などの障害が発生したことによるものである可能性が高いためセンサ障害とする。
【０１３７】
なお、センサ部１６にサーミスタなどの温度検出素子を設けた場合にも、各種の処理により、同様にセンサ障害を検出することができる。その他、スピーカ５６への出力線の断線や他の回路故障、通信異常等を同様に障害監視することができる。このような障害についても、検出後はセンサ障害と同様の処理を行ことから、本実施形態にあってはセンサ障害と総称している。
【０１３８】
異常報知処理部６４は、イベント検出部５８でセンサ障害の判定又はローバッテリー障害の判定が検出された場合、報知部３６のスピーカ５６からの警報音とＬＥＤ２２の表示により連動元を示すセンサ障害警報又はローバッテリー障害警報を出力させる。
【０１３９】
また異常報知処理部６４は、イベント検出部５８でセンサ障害の判定又はローバッテリー障害の判定が検出された場合に、報知部３６のスピーカ５６から警報音および／またはＬＥＤ２２の表示により連動元を示すセンサ障害警報またはローバッテリー障害警報を出力させと共に、異常警報処理部６４はセンサ障害イベント信号またはローバッテリー障害イベント信号を有線通信部３０の送信回路４２からアンテナ３１を介して他の住警器１０−２〜１０−６や緊急警報装置２５に送信し、住警器１０−２〜１０−６および緊急警報装置２５に、連動先を示すセンサ障害警報又はローバッテリー障害警報を警報音および／または表示で行わせる。
【０１４０】
更に異常報知処理部６４は、受信回路４４および受信処理部６２を介して他の住警器１０−２〜１０−６の何れかからセンサ障害イベント信号又はローバッテリー障害イベント信号を有効に受信したことをイベント検出部５８で検出した場合に、報知部３６のスピーカ５６からの警報音と、ＬＥＤ２２の表示とにより連動先を示すセンサ障害警報又はローバッテリー障害警報を出力させる。
【０１４１】
また異常報知処理部６４は、イベント検出部５８でセンサ障害の判定を検出した場合、報知部３６のスピーカ５６から連動元（障害元）を示すセンサ障害の警報音として例えば「ピッ  故障です」を複数回連続出力すると共にＬＥＤ２２を例えば点灯し、その後は一定時間毎に「ピッ  故障です」の音声出力とＬＥＤ２２による表示を複数回行う処理を繰り返す。
【０１４２】
また異常報知処理部６４は、イベント検出部５８でセンサ障害の判定を検出した場合、送信処理部６０および送信回路４２を介してセンサ障害イベント信号を他の住警器１０−２〜１０−６や緊急警報装置２５に送信することで、連動先を示すセンサ障害警報を出力させる。このとき、警報音として例えば「ピッ  別の警報器が故障です」や「ピッ  警報器が故障です」を出力させると共に連動元とは異なる点滅表示を行わせる。
【０１４３】
また異常報知処理部６４は、イベント検出部５８でローバッテリー障害の判定を検出した場合、報知部３６のスピーカ５６から連動元（障害元）を示すローバッテリー障害の警報音としてたとえば「ピッ  電池切れです」を複数回連続出力すると共にＬＥＤ２２を例えば点灯し、その後は、一定時間毎に「ピッ  電池切れです」の音声出力とＬＥＤ２２による表示を複数回行う処理を繰り返す。
【０１４４】
また警報処理部６４は、イベント検出部５８でローバッテリー障害の判定を検出した場合、ローバッテリー障害イベント信号を他の住警器１０−２〜１０−６や緊急警報装置２５に送信することで、連動先を示すローバッテリー障害警報を警報音として「ピッ  別の警報器が電池切れです」や「ピッ  警報器が電池切れです」を出力させると共に連動元とは異なる点滅表示を行わせる。
【０１４５】
また異常報知処理部６４は連動元を示す火災警報音または連動先を示す火災警報音の出力中に警報停止スイッチ２０の操作を検出した場合、又は他の住警器１０−２〜１０−６の何れか又は緊急警報装置２５からの警報停止を示すイベント信号又は装置イベント信号受信を検出した場合、スピーカ５６からの音声メッセージとＬＥＤ２２の警報表示による火災警報の出力を停止する。このときはＬＥＤ２２による警報表示については、所定時間継続した後に停止しても良い。なお、連動元を示す火災警報中には、警報停止を示すイベント信号や装置イベント信号受信があっても、少なくとも警報音の出力は継続させるようにしても良い。
【０１４６】
更に異常報知処理部６４は、連動元を示すセンサ障害又はローバッテリー障害警報の出力中に操作部３８に設けた警報停止スイッチ２０の警報停止操作を検出した場合、自己の連動元を示す警報音を停止すると共に障害表示を所定時間継続させた後に停止し、更に連動先を示す障害警報出力中の他の住警器１０−２〜１０−６、緊急警報装置２５に警報停止イベント信号を送信して、住警器１０−２〜１０−６および緊急警報装置２５の障害警報音と障害表示を停止させる。
【０１４７】
地震報知処理部６５は、受信回路４４および受信処理部６２を介して緊急警報装置２５から地震報知を示す装置イベント信号の有効受信をイベント検出部５８で検出した場合に、地震報知を示す情報として例えば「ピーピー  緊急地震速報です。強い揺れに警戒してください」といった音声メッセージを報知部３６のスピーカ５６から所定時間又は所定回数（１回を含む）出力させると共にＬＥＤ２２を点灯、点滅又は明滅させる。
【０１４８】
また地震報知処理部６５は、受信回路４４および受信処理部６２を介して緊急警報装置２５から津波報知を示す装置イベント信号の有効受信有りを装置イベント検出部５８で検出した場合に、津波報知を示す情報として例えば「ピーピー  津波警報が発令されました。海岸には近づかず、高台に避難してください」といった音声メッセージを報知部３６のスピーカ５６から所定時間又は所定回数（１回を含む）出力させると共にＬＥＤ２２を点灯、点滅又は明滅させる。
【０１４９】
また、地震報知処理部６５は、モードスイッチ２１の設定オン操作により地震報知及び津波報知を示す情報の出力を禁止する禁止モードの設定をイベント検出部５８で検出した場合には、緊急警報装置２５から地震報知または津波報知を示す装置イベント信号を受信しても、地震報知または津波報知を示す情報の音声メッセージ出力及び表示は行わない。
【０１５０】
また、禁止モード設定するモードスイッチを後に説明する緊急警報装置２５の操作部に設ける場合には、モードスイッチの設定により緊急警報装置２５からの火災警報出力を禁止するようにしても良い。
【０１５１】
また、音声メッセージや音響出力を禁止した場合でも、表示だけは行うようにしても良く、その逆に表示だけを禁止しても良い。更にこれを別に指定できるようにしても良い。即ち、出力禁止の設定は、地震報知と地震報知試験、また音響出力と表示出力について、適宜選択設定できるようにする。
【０１５２】
このようにすれば、報知出力を行うイベントの種類に応じて、その報知方法を選択的に設定できるようになり、利用者の希望や機器の設置状況によって適宜の報知パターンとすることができるので、使い勝手が良い。
【０１５３】
図６は図１の警報システムに設けた緊急警報装置の実施形態を示したブロック図であり、ＦＭ放送を受信する場合を例にとっている。図６において、緊急警報装置２５は、プロセッサ７２、アンテナ７５を備えたＦＭ受信部７４、音声増幅部７６、スピーカ７８、表示部８０、住警器表示部８１、操作部８２、無線通信部８４、メモリ８６で構成され、プロセッサ７２にはプログラムの実行で実現する機能として解析部９４、装置イベント検出部９６、地震報知制御部９８、送信制御部１００、受信制御部１０２、異常報知制御部１０４および障害報知制御部１０６が設けられている。操作部８０には警報停止スイッチ１０８が設けられている。
【０１５４】
ここで、アンテナ７５を備えたＦＭ受信部７４は放送受信部を構成し、スピーカ７８、表示部８０、住警器表示部８１は緊急警報装置２５の報知部を構成する。また、アンテナ８５、送信回路９０および送信制御部１００を併せて送信部とし、更に、アンテナ８５、受信回路９２および受信制御部１０２を併せて受信部としている。
【０１５５】
ＦＭ受信部７４は操作部８０の操作で選局したＦＭ局にチューナを同調してＦＭアンテナ７５を介してＦＭ放送電波を受信し、音声信号として復調して出力している。音声増幅部７６は待機状態では動作を停止しており、そのためスピーカ７８から受信されたＦＭ放送の再生出力は行われない。
【０１５６】
プロセッサ７２の解析処理により緊急地震速報信号または津波警報信号の受信が検出されると音声増幅部７６が動作状態に切り替えられ、その時、ＦＭ受信部７４から再生出力された緊急地震速報または津波警報の放送内容を、音声増幅部７６を介してスピーカ７８から出力する。表示部８０は受信待機表示、緊急地震速報受信表示、津波警報表示、選局周波数表示、などのＦＭ放送受信に必要な表示を行う。
【０１５７】
住警器番号表示部８１は例えば図３（Ａ）の液晶パネル１１６又は図３（Ｂ）の住警器表示灯１１８で実現され、住警器１０から火災を示すイベント信号有効受信を装置イベント検出部９６で検出した場合、イベント信号に含まれた送信元符号に基づき火災を検知して警報している住警器を検出し、住警器番号の表示や住警器設置場所を示す地区名表示を行う。
【０１５８】
無線通信部８４には送信回路９０と受信回路９２が設けられ、アンテナ８５から住警器１０に装置イベント信号を無線送信し、住警器１０からイベント信号を受信できるようにしている。無線通信部８４としては、住警器１０−１と同様に、日本国内の場合には、例えば４００ＭＨｚ帯の特定小電力無線局の標準規格として知られたＳＴＤ−３０またはＳＴＤ−Ｔ６７に準拠した構成を備える。
【０１５９】
メモリ８６には、住警器１０−１のメモリ３２と同様に、イベント信号の順番を示す連続番号である連番、緊急警報装置を特定する自己の識別情報となる送信元符号、連動グループを構成するためのグループ符号が格納され（図示せず）、更に送信元符号管理テーブル１１０６が格納されている。
【０１６０】
送信元符号管理テーブル１１０は住警器１０−１〜１０−６の送信元符号に対応して住警器番号や設置場所を示す地区名（部屋名）などが予め格納され、住警器１０から火災イベント信号、センサ障害イベント信号またはローバッテリー障害イベント信号の有効受信を装置イベント検出部９８で検出した場合、各イベント信号に含まれた送信元符号に基づき送信元管理テーブル１０６を参照して住警器番号や地区名（部屋名）を取得して火災、センサ障害またはローバッテリー障害を検知した住警器やその設置場所を特定する音声メッセージや警報表示を可能としている。
【０１６１】
プロセッサ７２に設けた装置イベント検出部９６は、解析部９４による緊急地震速報の最初に流れるチャイム音の受信を解析処理により検出すると緊急地震速報信号受信を検出し、地震報知制御部９８に指示して音声増幅部７６を所定時間動作してスピーカ７８から緊急地震速報の再生出力を行わせると共に、地震報知を示す装置イベント信号を生成し、送信制御部９８から送信回路９０及びアンテナ８５を介して住警器１０側に地震報知を示す装置イベント信号を送信し、地震報知を示す情報を出力させる。解析部９６による緊急地震速報のチャイム音の解析は、例えば特許文献３に記載されたベクトル相関法などで行う。
【０１６２】
また装置イベント検出部９８は、解析部９４による緊急警報放送における第２種開始信号の受信を解析処理により検出すると津波警報信号の有効受信有りを検出し、地震報知制御部９８に指示して音声増幅部７２を動作してスピーカ７４から津波警報の再生出力させる共に、津波報知を示す装置イベント信号を生成し、送信制御部９８から送信回路９０及びアンテナ８５を介して住警器１０側に津波報知を示す装置イベント信号を送信し、津波報知を示す情報を出力させる。
【０１６３】
また装置イベント検出部９６は解析部９４による緊急地震速報信号または津波警報信号の有効受信の検出に加え、受信制御部１０２による住警器１０からのイベント信号有効受信等の装置イベントを検出する。
【０１６４】
異常報知制御部１０４は、装置イベント検出部９８で住警器１０の何れかからの、火災を示すイベント信号有効受信を検出した場合に、有効受信したイベント信号に含まれる送信元符号に基づき火災を検出している警報器を検出し、音声増幅部７６を動作してスピーカ７８から火災を検知している住警器を示す例えば「ウーウー  ○番の火災警報器が作動しました  確認してください」といった音声メッセージによる警報音を出力させると共に住警器表示部８１に火災を検知している住警器を示す番号や設置している地区名（部屋名）を示す表示を行わせる。
【０１６５】
異常報知制御部１０４は、装置イベント検出部９８で住警器１０の何れかからの火災復旧、警報停止を示すイベント信号の有効受信、または警報停止スイッチ９２の操作を検出した場合に、火災警報音と火災表示を停止させる。
【０１６６】
また操作部８０に火災警報の禁止を設定するモードスイッチを設け、住警器１０と同じ場所に緊急警報装置２５を設置する場合や、火災警報の連動報知を必要としない場合は、モードスイッチの操作で火災警報の報知を禁止するようにしても良い。この場合、住警器表示部７８による火災を検知した住警器を示す表示は残しておくことが望ましい。
【０１６７】
緊急警報装置２５の電源は商用ＡＣ電源であっても良いし、電池としても良い。更にその他の専用電源であっても良い。
【０１６８】
図７は図６の緊急警報装置のメモリに設けた送信元符号管理テーブルを示した説明図である。図７において、送信元符号管理テーブル１１０には、例えば図３（Ｂ）の緊急警報装置２５の住警器表示灯１１８の数に対応した住警器番号１〜８が準備され、図１に示した住警器１０−１〜１０−６の識別情報となる送信元符号ＩＤ１〜ＩＤ６が住警器番号１〜６に対応して予め登録され、更に設置場所の部屋名が予め登録されている。
【０１６９】
図６の緊急警報装置２５にあっては、装置イベント検出部９６で住警器からのイベント信号有効受信を検出した場合、異常報知制御部１０４が有効受信したイベント信号に含まれる送信元符号ＩＤｘにより送信元符号管理テーブル１１０を検索し、送信元符号ＩＤｘに一致する住警器番号と設置場所を示す部屋名を取得し、火災を示す音声メッセージによる警報音に住警器番号や設置場所を示す内容を含めて出力し、また住警器表示器８１に火災を検知している住警器を示す住警器番号表示や地区名表示を行う。
【０１７０】
図８乃至図１０は図４の住警器１０−１における監視処理の例を示したフローチャートである。他の住警器１０−２〜１０−６についても同じ処理となる。図８において、住警器１０−１の電池電源４０による電源供給が開始されると、ステップＳ１で初期化、自己診断、禁止モードの設定の有無を含む各種設定の読み込みを実行し、異常がなければステップＳ２に進み、火災を監視している。ステップＳ１で初期化異常があった場合には報知部３６でその旨を報知して、動作を途中停止するか或いは再度ステップＳ１の処理を行うようにしているが、図示を省略している。
【０１７１】
センサ部３４から出力された煙検出信号が所定の火災レベルを超えると火災が検知され、ステップＳ２で火災検知を検出してステップＳ３に進み、連番、火災を検知している住警器を特定する送信元符号、グループ符号、火災を示すイベント符号を含むイベント信号を他の住警器及び緊急警報装置２５に無線送信した後、ステップＳ４で報知部３６のスピーカ５６から音声メッセージやブザー音等による警報音とＬＥＤ２２の例えば点灯による警報表示とにより連動元を示す火災警報を出力する。
【０１７２】
続いて、ステップＳ５でセンサ部３４からの煙検出信号が低下して火災検知状態が解消する火災復旧の有無を検出しており、火災復旧を検出するとステップＳ６で連番、送信元符号、グループ符号、火災復旧を示すイベント符号を含むイベント信号を他の住警器及び緊急警報装置２５に送信した後、ステップＳ７でスピーカ５６からの警報音とＬＥＤ２２の点灯による警報表示とによる連動元を示す火災警報を停止する。なお、ＬＥＤ２２による警報表示は所定時間経過後に消灯しても良い。
【０１７３】
続いてステップＳ８で警報停止スイッチ２０の操作有無を検出し、スイッチ操作を検出するとステップＳ９で警報中の有無を検出する。ステップＳ９で警報中を検出すると、ステップＳ１０に進んで連番、送信元符号、グループ符号、警報停止を示すイベント符号を含むイベント信号を他の住警器及び緊急警報装置２５に送信し、ステップＳ１１に進んでスピーカ５６からの連動元を示す警報音出力を停止し、ＬＥＤ２２の点灯による警報表示を消灯する。なお、ＬＥＤ２２は所定時間経過後に消灯しても良い。
【０１７４】
ステップＳ９で警報中でないと検出した場合には、ステップＳ８で検出した警報停止スイッチの操作を点検指示動作と認定し、所定の点検動作を実施して結果を報知するようにしているが、図示を省略している。
【０１７５】
続いて図９のステップＳ１２に進み、他の住警器からの火災を示すイベント信号の有効受信有無を検出している。他の住警器からの火災を示すイベント信号の有効受信有りを検出すると、ステップＳ１３に進んで連動先を示す火災警報としてスピーカ５６から警報音を出力し、ＬＥＤ２２の点滅による警報表示を行う。
【０１７６】
次にステップＳ１４で他の住警器からの火災復旧を示すイベント信号の有効受信有無を検出しており、火災復旧を示すイベント信号の有効受信有りを検出すると、ステップＳ１５に進んで連動先の警報として行っているスピーカ５６からの警報音出力とＬＥＤ２２の点滅による警報表示を停止する。
【０１７７】
次にステップＳ１６で他の住警器からの警報停止を示すイベント信号又は緊急警報装置２５からの警報停止を示す装置イベント信号の有効受信の有無をチェックしており、警報停止を示すイベント信号又は装置イベント信号の有効受信有りを検出すると、ステップＳ１７に進んで警報中の有無を検出し、警報中を検出するとステップＳ１８に進んで連動先としての警報音出力を停止し、警報表示も停止する。
【０１７８】
続いてステップＳ１９で地震報知の禁止モード設定の有無を検出し、禁止モードの設定が無ければステップＳ２０に進んで地震報知を示すイベント信号の有効受信有無を検出しており、緊急警報装置２５からの地震報知を示す装置イベント信号の有効受信有りを検出するとステップＳ２１で地震報知を示す例えば「ピーピー  緊急地震速報です  強い揺れに警戒してください」といった音声メッセージを報知部３６のスピーカ５６から１又は複数回出力すると共にＬＥＤ２２を例えば点灯する。
【０１７９】
続いてステップＳ２２で津波報知を示すイベント信号の有効受信の有無を検出しており、緊急警報装置２５からの津波報知を示す装置イベント信号の有効受信有りを検出するとステップＳ２３で津波報知を示す例えば「ピーピー  津波警報が発令されました。海岸には近づかず、高台に避難してください」といった音声メッセージを報知部３６のスピーカ５６から１又は複数回出力すると共にＬＥＤ２２を例えば点灯する。
【０１８０】
ステップＳ１９で地震報知の禁止モード設定を検出した場合、ステップＳ２０〜Ｓ２３はスキップし、地震報知や津波報知を示す装置イベント信号の受信を検出しても地震報知または津波報知を示す音声メッセージを出力しない。これは図１のように住警器１０−１が緊急警報装置２５と同じ部屋に設置されている場合である。なお、ステップＳ１９とステップＳ２０は順番を入れ替えても良い。
【０１８１】
続いて図１０のステップＳ２２に進み、ローバッテリー障害の有無を検出し、ローバッテリー障害有りを検出するとステップＳ２３に進んでメモリ３２にローバッテリー障害フラグをグセットして記憶すると共に定期通報タイマを起動する。
【０１８２】
続いてステップＳ２４で障害元を示すローバッテリー障害の警報出力と警報表示を行った後、ステップＳ２５でローバッテリー障害イベント信号を他の住警器及び緊急警報装置２５に送信する。
【０１８３】
続いてステップＳ２６に進み、センサ障害の有無を検出し、センサ障害有りを検出するとステップＳ２７に進んでメモリ３２にセンサ障害フラグをセットして記憶すると共に定期通報タイマを起動する。
【０１８４】
続いてステップＳ２８で障害元を示すセンサ障害の警報出力と警報表示を行った後、ステップＳ２９でセンサ障害イベント信号を他の住警器及び緊急警報装置２５に送信する。
【０１８５】
続いてステップＳ３０でメモリ３２にローバッテリー障害またはセンサ障害を示す障害フラグがセットされているか否か検出し、障害フラグのセットを検出するとステップＳ３１に進み、ステップＳ２３またはＳ２７で起動した定期鳴動タイマによる定期鳴動タイミングか否か検出し、定期鳴動タイミングを検出するとステップＳ３２に進み、そのときローバッテリー障害フラグがセットされていればローバッテリー障害警報を出力し、センサ障害フラグがセットされていれば、センサ障害警報を出力する。
【０１８６】
続いてステップＳ３３で警報停止スイッチ２０の操作の有無を検出しており、操作有りを検出するとステップＳ３４に進み、点検処理の実行によりセットされた障害フラグがメモリ３２に記憶されているか否か検出し、障害フラグの記憶無しを検出した場合はステップＳ３５に進み、正常報知として例えば火災警報音と警報表示の試験報知を行う。この試験報知では火災警報音の音量を下げた状態で１回だけ出力し、住警器１０が正常に動作することを利用者に知らせる。
【０１８７】
ステップＳ３４で障害フラグの記憶有りを検出した場合は、ステップＳ３６に進み、そのときローバッテリー障害フラグの記憶有りを検出した場合はローバッテリー障害警報を出力し、センサ障害フラグの記憶有りを検出した場合は、センサ障害警報を出力する。このためローバッテリー障害またはセンサ障害の検出で障害警報が出された後は、定期鳴動タイマによる所定時間毎の障害警報の出力に加え、通常状態での警報停止スイッチ２０の操作検出による点検指示入力の検出時にも障害警報を出力することになる。以上の処理を電源オフによる動作停止指示が検出されるまで繰り返す。
【０１８８】
なお、図８乃至図１０のフローチャートでは、他の住警器からローバッテリー障害またはセンサ障害を示すイベント信号を受信した場合の処理は省略しているが、他の住警器からローバッテリー障害またはセンサ障害を示すイベント信号の有効受信有りを検出した場合、連動先を示すローバッテリー障害警報またはセンサ障害警報を警報音と警報表示で行う。
【０１８９】
図１１及び図１２は図５に示した緊急警報装置２５の処理例を示したフローチャートである。図１１において、緊急警報装置２５の電源を投入するとステップＳ４０で初期化及び自己診断を行い、エラーが無ければステップＳ４１に進んで操作部８０の選局操作によりＦＭ局の選局処理を行う。
【０１９０】
続いてステップＳ４２の受信待機動作に移行する。受信待機動作はＦＭ受信部７４を動作してＦＭ放送電波を受信再生しているが、音声増幅部７６の動作は停止してスピーカ７８から放送を流していない状態である。
【０１９１】
続いてステップＳ４３で緊急地震速報のチャイム音受信有無を解析部９４の解析処理を通じて検出しており、チャイム音受信を検出するとステップＳ４４に進み、音声増幅部７６を動作することで、そのとき受信している緊急地震速報の放送をスピーカ７８から所定の設定音量で出力する。
【０１９２】
次にステップＳ４５で送信制御部１００、無線通信部８４の送信回路９０及びアンテナ８５を介して、住警器１０に地震報知を示す装置イベント信号を送信する。続いてステップ４６で所定時間の経過を待ってステップＳ４７に進み、音声増幅部７６の動作を停止することで、放送音の出力を停止する。
【０１９３】
続いてステップＳ４８で津波警報信号の受信有無を解析部９４の解析処理を通じて検出しており、津波警報信号の有効受信有りを検出するとステップＳ４９に進み、音声増幅部７６を動作することで、そのとき受信している緊急警報放送による津波警報をスピーカ７８から設定音量で出力する。
【０１９４】
次にステップＳ５０で送信制御部１００、無線通信部８４の送信回路９０及びアンテナ８５を介して、住警器１０へ津波報知を示す装置イベント信号を送信する。続いてステップ５２で緊急警報放送における終了信号の有効受信を解析部９４の解析処理を通じて検出するとステップＳ４３に進み、音声増幅部７６の動作を停止することで、放送音の出力を停止する。
【０１９５】
続いて図１２のステップＳ５３に進み、住警器１０の何れかからの火災を示すイベント信号の有効受信の有無を検出している。ステップＳ５３で住警器１０の何れかからの火災を示すイベント信号有効受信を検出すると、ステップＳ５４に進んで有効受信したイベント信号に含まれる送信元符号により送信元符号管理テーブル１１０を検索し、火災を検知している住警器を示す住警器番号や設置場所を示す部屋名を取得し、ステップＳ５５で、火災を検知している住警器を示す住警器番号や設置場所の部屋名を含む音声メッセージによる火災の警報音をスピーカ７８から出力し、また、住警器表示器８１により住警器番号や設置場所の部屋名を表示する。
【０１９６】
次にステップＳ５６で操作部８２に設けた警報停止スイッチ１０８の操作による警報停止指示の有無と併せて住警器１０の何れかからの火災復旧を示すイベント信号または警報停止を示すイベント信号有効受信の有無を検出しており、操作による警報停止指示または火災復旧を示すイベント信号受信有りまたは警報停止を示すイベント信号有効受信有りを検出すると、ステップＳ５７に進んで警報中の有無を検出し、警報中を検出するとステップＳ５８に進んで火災警報音および警報表示を停止する。
【０１９７】
ここで、操作部８２に設けた警報停止スイッチ１０８の操作指示入力の検出に基づいて警報を停止する場合には、無線通信部８４の送信回路９０からアンテナ８５を介して住警器１０へ警報停止を示す装置イベント信号を送信する。
【０１９８】
また、ステップＳ５８の火災警報表示の停止については、住警器１０の何れかからの火災復旧を示すイベント信号または警報停止を示すイベント信号の有効受信有りを検出した場合、有効受信したイベント信号に含まれる送信元符号により送信元符号管理テーブル１１０を検索して火災復旧または警報停止した住警器の住警器番号や部屋名を取得し、住警器表示部７８の対応する表示を停止する。
【０１９９】
続いてステップＳ５９に進み、住警器１０の何れかからのローバッテリー障害を示すイベント信号の有効受信の有無を検出している。ステップＳ５４で住警器１０の何れかからのローバッテリー障害を示すイベント信号有効受信を検出すると、ステップＳ５５に進んで有効受信したイベント信号に含まれる送信元符号により送信元符号管理テーブル１１０を検索し、ローバッテリー障害を検知している住警器を示す住警器番号や設置場所を示す部屋名を取得し、ステップＳ６１で、ローバッテリー障害を検知している住警器を示す住警器番号や設置場所の部屋名を含む音声メッセージによる火災の警報音をスピーカ７８から出力し、また、住警器表示器８１により住警器番号や設置場所の部屋名を表示する。
【０２００】
続いてステップＳ６２に進み、住警器１０の何れかからのセンサ障害を示すイベント信号の有効受信の有無を検出している。ステップＳ６２で住警器１０の何れかからのセンサ障害を示すイベント信号有効受信を検出すると、ステップＳ６３に進んで有効受信したイベント信号に含まれる送信元符号により送信元符号管理テーブル１１０を検索し、センサ障害を検知している住警器を示す住警器番号や設置場所を示す部屋名を取得し、ステップＳ６４で、ローバッテリー障害を検知している住警器を示す住警器番号や設置場所の部屋名を含む音声メッセージによる火災の警報音をスピーカ７８から出力し、また、住警器表示器８１により住警器番号や設置場所の部屋名を表示する。以上の処理をステップＳ６５で電源オフによる動作停止指示が検出されるまで繰り返す。
【０２０１】
図１３は図１に設けた緊急警報装置の他の実施形態を示したブロック図であり、本実施形態にあっては、テレビ放送（デジタルＴＶ放送）を受信解析して緊急地震速報信号または津波警報信号を検出して地震報知または津波報知を示す装置イベント信号を住警器へ送信するようにしたことを特徴とする。
【０２０２】
これは一例であり、各機能の分離、統合は任意に行うことができる。また各機能のそれぞれの任意の一部または全部は、ソフトウェア（プログラム）によって実行されるものであっても、ハードウェアによって実行されるものであっても良い。
【０２０３】
図１３において、緊急警報装置２５は、プロセッサ７２、ＴＶアンテナ１２２を接続したデジタルＴＶ受信部１２０、音声増幅部７６、スピーカ７８、表示部８０、住警器表示部８１、操作部８２、メモリ８６、アンテナ８５が接続された無線通信部８４で構成され、プロセッサ７２にはプログラムの実行で実現する機能として解析部９４、装置イベント検出部９６、地震報知制御部９８、送信制御部１００、受信制御部１０２、異常報知制御部１０４及び障害報知制御部１０６を設けている。操作部８２には警報停止スイッチ１０８を設け、メモリ８６には送信元符号管理テーブル１１０を設けている。
【０２０４】
ここで、プロセッサ７２、音声増幅部７６、スピーカ７８、表示部８０、住警器表示部８１、操作部８２、メモリ８６、アンテナ８５が接続された無線通信部８４は、図６に示した緊急警報装置２５と基本的に同じであり、デジタルＴＶ受信部１２０、ＴＶアンテナ１２２及びプロセッサ６８の解析部９４が本実施形態に固有のものとなる。なお、デジタルＴＶ受信部１２０にはワンセグとして知られた携帯電話・移動体端末向けの1セグメント部分受信サービスの受信部であっても良い。
【０２０５】
デジタルＴＶ受信部１２０は操作部８２の操作で選局されたＴＶ局、例えばＮＨＫ（Ｒ）にチューナを同調してそのテレビ放送電波を受信し、音声信号を復調して出力している。
【０２０６】
プロセッサ７２に設けた解析部９４は、デジタルＴＶ受信部１２０で受信復調されたＴＶ放送音声データ信号およびＴＶ放送データ信号を入力して解析し、緊急地震速報信号又は津波警報信号の有効受信の有無を検出している。
【０２０７】
プロセッサ７２８に設けた装置イベント検出部９６は、解析部９４により、緊急地震速報放送信号の最初に流れる２回のチャイム音を示す音声データ信号の解析により緊急地震速報信号の有効受信を検出した場合、これに基づき音声増幅部７６を所定時間動作して緊急地震速報を再生してスピーカ７８から出力すると共に、地震報知を示す装置イベント信号を生成し、送信制御部１００により無線通信部８４の送信回路９０からアンテナ８５を介して住警器１０側に地震報知を示す装置イベント信号を送信し、地震報知を示す情報を出力させる。解析部９４による緊急地震速報のチャイム音解析は、例えば特許文献３に記載されたベクトル相関法などで行う。
【０２０８】
また、装置イベント検出部９６は、解析部９４により、緊急警報放送の最初の１０秒間に流れる第２種開始信号を示す緊急警報放送識別子が有効受信されたことを解析して検出した場合、津波警報信号が有効受信されたとみなし、これに基づき音声増幅部７６を動作して津波警報放送を再生してスピーカ７８から出力すると共に、津波報知を示す装置イベント信号を生成し、送信制御部１００により無線通信部８４の送信回路９０からアンテナ８５を介して住警器１０側に津波報知を示す装置イベント信号を送信し、津波報知を示す情報を出力させる。
【０２０９】
また装置イベント検出部９６は、解析部９４により第２種開始信号の解析検知から所定時間後に送信されてくる終了信号を示す緊急警報放送識別子の受信を解析して検知した場合、これに基づき音声増幅部７６の動作を停止してスピーカ７８から放送音の出力を停止する。
【０２１０】
図１４は図１に設けた緊急警報装置の他の実施形態を示したブロック図であり、本実施形態にあっては、ＡＭ放送を受信解析して緊急地震速報信号または津波警報信号を検出して地震報知または津波報知を示す装置イベント信号を住警器へ送信するようにしたことを特徴とする。
【０２１１】
これは一例であり、各機能の分離、統合は任意に行うことができる。また各機能のそれぞれの任意の一部または全部は、ソフトウェア（プログラム）によって実行されるものであっても、ハードウェアによって実行されるものであっても良い。
【０２１２】
図１４において、緊急警報装置２５は、プロセッサ７２、ＡＭアンテナ１３２を接続したＡＭ受信部１３０、音声増幅部７６、スピーカ７８、表示部８０、住警器表示部８１、操作部８２、メモリ８６、アンテナ８５が接続された無線通信部８４で構成され、プロセッサ７２にはプログラムの実行で実現する機能として解析部９４、装置イベント検出部９６、自陣報知制御部９８、送信制御部１００、受信制御部１０２、異常報知制御部１０４及び障害報知制御部１０６を設けている。操作部８２には警報停止スイッチ１０８を設け、メモリ８６には送信元符号管理テーブル１１０を設けている。
【０２１３】
ここで、プロセッサ７２、音声増幅部７６、スピーカ７８、表示部８０、住警器表示部８１、操作部８２、メモリ８６、アンテナ８５が接続された無線通信部８４は、図６に示した緊急警報装置２５と基本的に同じであり、ＡＭ受信部１３０、ＡＭアンテナ１３２及びプロセッサ７２の解析部９４が本実施形態に固有のものとなる。
【０２１４】
ＡＭ受信部１３０は操作部８２の操作で選局されたＡＭ局にチューナを同調させてその放送電波を受信し、音声信号として復調して出力している。
【０２１５】
プロセッサ７２に設けた解析部９４は、ＡＭ受信部１３０で受信復調されたＡＭ放送音声信号を入力して解析し、緊急地震速報信号または津波警報信号の有効受信の有無を検知しており、その詳細は図６のＦＭ放送音声信号を解析して制御する場合と基本的に同じになる。
【０２１６】
なお、上記の実施形態は、緊急警報装置で緊急地震速報信号と津波警報信号の両方の受信を検出して処理しているが、緊急警報装置で緊急地震速報信号と津波警報信号のいずれか一方の受信を検出して処理するようにしても良い。ここで、緊急地震速報信号のみの受信を検出して処理する場合には、上記の実施形態における緊急警報装置２５を緊急地震速報装置２５と読み替え、且つ津波警報に関する部分を削除した内容の実施形態とすれば良い。
【０２１７】
また、上記の実施形態は火災を検知して警報する住警器を例にとるものであったが、ガス漏れ警報器、ＣＯ警報器、各種の防犯用警報器を配置した警報システムやそれら各種の警報器を混在させて配置した警報システムについても同様に適用できる。
【０２１８】
また、緊急警報装置の他の実施形態として、緊急警報装置に住警器の機能を設け、緊急警報装置で火災等の異常を検知して連動元として警報すると共に他の住警器にイベント信号を送信して連動先として警報させても良い。
【０２１９】
また、警報器同士は必ずしも連動するものでなくても良く、所定の警報器が緊急警報装置と連携できるものであれば良い。一部の警報器は連動し、他の警報器は連動しないものとしても良い。更に、警報器は１台であることを妨げない。一方で、緊急警報装置を複数台設けても良い。このとき、緊急警報装置間でも相互に連携連動できるようにしても良い。
【０２２０】
また、警報器や緊急警報装置間の各連携は無線通信によるものでなくても良く、有線通信によっても、また有線と無線を適宜混在させるものであっても良い。
【０２２１】
また、上記の実施形態で警報停止スイッチ、モードスイッチとして示した操作手段は、必ずしもスイッチである必要は無く、リモコン装置等を使用して外部からの通信によって警報履歴出力を指示するもの等、どのような手段や方法を適用しても良い。
【０２２２】
また、住警器（住宅用火災警報器）の警報出力機能を禁止することは規格上できないが、住警器以外の適宜の警報器を使用する場合には、警報器側の異常警報を禁止させるモード設定機能を設けることもできる。このようにすれば、例えば緊急警報装置からの異常（住警器の場合の火災にあたる）警報を出力させる代わりに、緊急警報装置の近隣に設置されている警報器からの異常警報を禁止させるパターンを採ることもできる。
【０２２３】
また、住警器から緊急警報装置への異常警報（火災警報等）の連動出力は、表示のみで行わせるようにしても良い。例えば、ブザー音や音声メッセージ等の音響警出力は住警器だけで充分足りるが、電力消費の大きなフラッシュライト等を用いて異常発生の視覚的な報知効果を高めたいといった場合には、商用電源や専用電源等を使用していることで電力消費を抑える必要性が比較的低い緊急警報装置に当該フラッシュライト等の表示装置を設けて、住警器の異常（火災）警報に連動して動作させて表示報知の効果を高めても良い。
【０２２４】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０２２５】
また、上記実施の形態で示した各機器のプロセッサは、その機能の一部又は全部を、例えばワイヤードロジック等による他の手段に代えることができる。プロセッサを含め他の電気的、機能的構成は適宜に統廃合することもできる。
【０２２６】
また、緊急警報装置は、放送による緊急地震速報や津波警報を上記実施の形態のように直接受信しても良いし、別の装置や設備を介して間接的に受信しても良い。また、緊急地震情報や津波警報は例えば市町村等の地域防災無線設備から送信されるものであっても良く、この場合に緊急警報装置は当該防災無線信号から緊急地震情報や津波警報を検出する受信部と解析部を備えることになる。
【０２２７】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０２２８】
また、緊急警報装置、住警器（警報器）の表示部は、異常（上記実施の形態では火災）警報用表示部と緊急地震速報報知用表示部とをそれぞれ個別に設けても良い。
【０２２９】
また、上記の実施形態では、電池電源によって動作する住警器を例に取ったが、電池電源以外の電源で動作するものにも本発明を適用できる。
【０２３０】
また、上記の実施形態は住宅用に限らずビルやオフィス用など各種用途の警報器にも適用できる。
【０２３１】
また、上記の実施形態は警報器にセンサ部と警報出力処理部を一体に設けた場合を例にとるが、他の実施形態として、センサ部と警報出力処理部を別体とした警報器であっても良い。
【０２３２】
また本発明は上記の実施形態に限定されず、その目的と利点を損なうことのない適宜の変形を含み、更に上記の実施形態に示した数値による限定は受けない。
【符号の説明】
【０２３３】
１０，１０−１〜１０−６：住警器
１２：カバー
１４：本体
１６：検煙部
１７：取付フック
１８：音響孔
２０：警報停止スイッチ
２１：モードスイッチ
２２：ＬＥＤ
２４：住宅
２５：緊急警報装置
２８，７２：プロセッサ
３１，８４：アンテナ
３０，８２：無線通信部
３２，８６：メモリ
３４：センサ部
３６：報知部
３８：操作部
４０：電池電源
４２，９０：送信回路
４４，９２：受信回路
４６：イベント信号
４８：連番
５０：送信元符号
５２：グループ符号
５４：イベント符号
５６，７８：：スピーカ
５８：イベント検出部
６０：送信処理部
６２：受信処理部
６４：警報処理部
６５：緊急地震速報処理部
６６：障害処理部
６８：電池電圧低下監視部
７０：点検処理部
７４：ＦＭ受信部
７５：ＦＭアンテナ
７６：音声増幅部
８０：表示部
８１：住警器表示部
８２：操作部
９４：解析部
９６：装置イベント検出部
９８：地震報知制御部
１００：送信制御部
１０２：受信制御部
１０４：異常報知制御部
１０６：障害報知制御部
１１０：送信元符号管理テーブル
１２０：デジタルＴＶ受信部
１３０：ＡＭ受信部
【図１】
2011243219.tif 000003
【図２】
2011243219.tif 000004
【図３】
2011243219.tif 000005
【図４】
2011243219.tif 000006
【図５】
2011243219.tif 000007
【図６】
2011243219.tif 000008
【図７】
2011243219.tif 000009
【図８】
2011243219.tif 000010
【図９】
2011243219.tif 000011
【図１０】
2011243219.tif 000012
【図１１】
2011243219.tif 000013
【図１２】
2011243219.tif 000014
【図１３】
2011243219.tif 000015
【図１４】
2011243219.tif 000016